(57)【要約】【課題】  従来の遊技機では、停止ボタンの位置の判別が難しいことから遊技店の営業形態が制限されると共に、停止ボタンの点灯による報知も単調になりがちであった。【解決手段】  停止ボタン３１〜３３を構成する停止ボタン３１Ａ〜３３Ａ，３１Ｂ〜３３Ｂの内部には、第１，第２のＬＥＤ１２１，１２２が設けられている。「スイカ」の小役が当籤役決定手段によって当籤役として決定されると、第２停止ボタン３１Ｂ〜３３Ｂに対する操作入力が受け付けられるようになり、停止ボタン３１〜３３の操作範囲が拡大される（図２０，Ｓ９１，Ｓ９２参照）。また、第２停止ボタン３１Ｂ〜３３Ｂに対する操作入力が操作入力無効化手段によって受け付けられるようになると、第２停止ボタン３１Ｂ〜３３Ｂに対する操作入力が受け付けられない場合とは異なる発光態様に、第２のＬＥＤ１２２が発光制御される（図１４（ｂ）、図３０，Ｓ４０５参照）。【選択図】  図４
2009153758.tif 000002
【特許請求の範囲】
【請求項１】
複数の図柄を複数の列に表示する図柄表示手段と、
乱数を発生させる乱数発生手段と、
単位遊技の開始操作の検出を行う開始操作検出手段と、
この開始操作検出手段により行なわれる開始操作の検出に基づいて、前記乱数発生手段によって発生される乱数の中から任意の乱数を抽出する乱数抽出手段と、
この乱数抽出手段により抽出された一の乱数が属する数値範囲に基づいて単位遊技における当籤役を決定し、前記一の乱数が予め設定された数値範囲に属する場合には、複数の当籤役を同時に当籤役として決定する当籤役決定手段と、
前記開始操作検出手段により行なわれる開始操作の検出に基づいて、前記図柄表示手段により表示される図柄の変動を行なう図柄変動手段と、
前記複数の列にそれぞれ対応して設けられる停止操作部と、
この停止操作部に対する停止操作の検出を行う停止操作検出手段と、
前記当籤役決定手段により決定された当籤役と前記停止操作検出手段により行なわれる停止操作の検出とに基づいて、前記図柄変動手段により行われる図柄の変動を停止させる制御を行う停止制御手段と、
この停止制御手段により前記図柄表示手段に停止表示された図柄の組合わせに応じて遊技者に遊技媒体を付与する遊技媒体付与手段と、
前記当籤役決定手段により遊技者に有利な特典遊技に対応する特典役が決定されて、この特典役に対応する図柄の組合わせが前記停止制御手段により前記図柄表示手段に停止表示されると、前記特典遊技を作動させる特典遊技作動手段とを備えた遊技機において、
前記停止操作部は、少なくとも１つが、透光性を有する部材で形成された第１停止操作部およびその周囲に設けられた第２停止操作部からなり、
前記第１停止操作部を照明する第１発光部と、
前記第２停止操作部を照明する第２発光部と、
前記特典役と同時に当籤役として決定されることがある特定役が前記当籤役決定手段によって当籤役として決定されなかった場合、前記第２停止操作部に対する操作入力を受け付けなくする操作入力無効化手段と、
この操作入力無効化手段によって前記第２停止操作部に対する操作入力が受け付けられなくなっている場合と受け付けられている場合とで前記第２発光部の発光態様を異ならせて前記第１発光部および前記第２発光部の発光制御を行う発光制御手段と
を備えていることを特徴とする遊技機。
【請求項２】
前記発光制御手段は、前記特定役が前記当籤役決定手段によって当籤役として決定されている場合、前記第２発光部を前記特定役に応じた発光態様に発光制御することを特徴とする請求項１に記載の遊技機。
【請求項３】
前記操作入力無効化手段は、前記一の乱数が前記重複数値範囲に含まれる数値範囲に属して、前記特典役および前記特定役が前記当籤役決定手段により同時に当籤役として決定された場合、前記特典役に応じた図柄の組合わせが前記停止制御手段によって前記図柄表示手段に停止表示されるまでの間、前記第２停止操作部に対する操作入力を受け付けさせることを特徴とする請求項１または請求項２に記載の遊技機。
【発明の詳細な説明】
【技術分野】
【０００１】
本発明は、図柄表示手段の複数の列にそれぞれ対応して停止操作部が設けられている遊技機に関するものである。
【背景技術】
【０００２】
従来、このような遊技機としては、例えば下記の特許文献１に開示される遊技機がある。この遊技機では、停止操作に用いられる押しボタンが複数の可動体で構成されている。各可動体は、それぞれ弾性力の異なるコイルばねにより筐体外部に向けて付勢されており、押しボタンの触感に変化を与えて、遊技性の向上が企図されている。
【０００３】
また、下記の特許文献２には、リールの回転を停止させる複数のストップボタンの周囲にそれぞれ電飾部が設けられたパチスロ機が開示されている。各ストップボタンおよび各電飾部の内部にはＬＥＤ（発光ダイオード）が設けられており、各ＬＥＤが所定の順序で点灯することにより、当籤役に応じた図柄の組合わせを入賞ライン上に揃えることができるストップボタンの押し順が遊技者に報知される。
【特許文献１】特開２００３−１０９４６３号公報（段落[０００６]〜[００１０]）
【特許文献２】特開２００６−４２８８５号公報（段落[００２３]〜[００２７]，[００７４]，[００７５]）
【発明の開示】
【発明が解決しようとする課題】
【０００４】
しかしながら、特許文献１に示す上記従来の遊技機では、遊技者に対して単に押しボタンの触感の変化が与えられるに過ぎず、遊技者に対して押しボタンの位置が示唆されたりすることはない。このため、遊技店内が暗い場合には押しボタンの位置の判別が難しくなってしまうことから、遊技店内の照明効果を変化させて雰囲気を変えることが難しく、遊技店の営業形態が制限されることがある。
【０００５】
また、特許文献２に示す上記従来のパチスロ機では、ストップボタンと電飾部とが単に所定の押し順にしたがって点灯するだけであるため、報知自体は単調なものになりがちとなる。このため、遊技の初心者は、押し順が報知されていることに気付かないことがあり、折角の利益を享受できないことがある。
【課題を解決するための手段】
【０００６】
本発明はこのような課題を解決するためになされたもので、
複数の図柄を複数の列に表示する図柄表示手段と、
乱数を発生させる乱数発生手段と、
単位遊技の開始操作の検出を行う開始操作検出手段と、
この開始操作検出手段により行なわれる開始操作の検出に基づいて、乱数発生手段によって発生される乱数の中から任意の乱数を抽出する乱数抽出手段と、
この乱数抽出手段により抽出された一の乱数が属する数値範囲に基づいて単位遊技における当籤役を決定し、一の乱数が予め設定された数値範囲に属する場合には、複数の当籤役を同時に当籤役として決定する当籤役決定手段と、
開始操作検出手段により行なわれる開始操作の検出に基づいて、図柄表示手段により表示される図柄の変動を行なう図柄変動手段と、
複数の列にそれぞれ対応して設けられる停止操作部と、
この停止操作部に対する停止操作の検出を行う停止操作検出手段と、
当籤役決定手段により決定された当籤役と停止操作検出手段により行なわれる停止操作の検出とに基づいて、図柄変動手段により行われる図柄の変動を停止させる制御を行う停止制御手段と、
この停止制御手段により図柄表示手段に停止表示された図柄の組合わせに応じて遊技者に遊技媒体を付与する遊技媒体付与手段と、
当籤役決定手段により遊技者に有利な特典遊技に対応する特典役が決定されて、この特典役に対応する図柄の組合わせが停止制御手段により図柄表示手段に停止表示されると、特典遊技を作動させる特典遊技作動手段とを備えた遊技機において、
停止操作部は、少なくとも１つが、透光性を有する部材で形成された第１停止操作部およびその周囲に設けられた第２停止操作部からなり、
第１停止操作部を照明する第１発光部と、
第２停止操作部を照明する第２発光部と、
特典役と同時に当籤役として決定されることがある特定役が当籤役決定手段によって当籤役として決定されなかった場合、第２停止操作部に対する操作入力を受け付けなくする操作入力無効化手段と、
この操作入力無効化手段によって第２停止操作部に対する操作入力が受け付けられなくなっている場合と受け付けられている場合とで第２発光部の発光態様を異ならせて第１発光部および第２発光部の発光制御を行う発光制御手段と
を備えていることを特徴とする。
【０００７】
この構成によれば、発光制御手段によって第１発光部および第２発光部が発光制御される。このため、遊技店内の照明を例えば暗くするなどして視界が悪くなるような場合であっても、第１停止操作部および第２停止操作部から構成される停止操作部の位置は、第１発光部および第２発光部の発光によって、遊技者に対して明確に示唆されるようになる。したがって、従来の遊技機のように、停止操作部の位置の判別が難しくなってしまうことがなくなるため、照明効果を変化させて雰囲気を変えるといった遊技店の様々な営業形態の変更が可能になり、遊技店の営業形態に束縛されることのない汎用性の高い遊技機が提供される。
【０００８】
また、特定役が当籤役決定手段によって当籤役として決定されると、操作入力無効化手段によって受け付けられなくなっていた第２停止操作部に対する操作入力が受け付けられるようになり、停止操作部の操作範囲が、第１停止操作部の操作範囲に加えて第２停止操作部の操作範囲にまで拡大される。また、第２停止操作部に対する操作入力が操作入力無効化手段によって受け付けられるようになると、発光制御手段によって、第２停止操作部に対する操作入力が受け付けられない場合とは異なる発光態様に、第２発光部が発光制御される。このため、発光制御手段によって第２発光部が今までの態様と異なる発光態様に発光制御されることで、第１停止操作部の周囲における第２停止操作部の照明に変化が与えられ、第１停止操作部を囲う大きな面積で照明が変化する。この結果、第２停止操作部に対する操作入力が操作入力無効化手段によって受け付けられるようになると、停止操作部の操作範囲が拡大されると共に、第１停止操作部を囲う大きな面積で照明が変化することにより、遊技者は、停止操作部が大きくなったというインパクトを受けると共に、当籤役として特定役と共に特典役が決定された可能性があることを即座に察知して期待感を持つことができ、熟練者でない遊技者であっても十分に遊技を楽しむことができるようになる。
【０００９】
また、本発明は、発光制御手段が、特定役が当籤役決定手段によって当籤役として決定されている場合、第２発光部を特定役に応じた発光態様に発光制御することを特徴とする。
【００１０】
この構成によれば、特定役が当籤役決定手段によって当籤役として決定されていると、、第２発光部が発光制御手段によって特定役に応じた発光態様に発光制御されることにより、第２発光部の発光態様が第２停止操作部に対する操作入力が受け付けられない場合と異なったものとなる。このため、遊技者は、第２発光部の発光態様が特定役に応じたものになったことに基づいて、特定役が当籤役決定手段によって当籤役として決定されていることを容易に認識できるようになる。
【００１１】
また、本発明は、操作入力無効化手段が、一の乱数が重複数値範囲に含まれる数値範囲に属して、特典役および特定役が当籤役決定手段により同時に当籤役として決定された場合、特典役に応じた図柄の組合わせが停止制御手段によって図柄表示手段に停止表示されるまでの間、第２停止操作部に対する操作入力を受け付けさせることを特徴とする。
【００１２】
この構成によれば、特典役および特定役が当籤役決定手段によって同時に当籤役として決定されると、特典役に応じた図柄の組合わせが停止制御手段によって図柄表示手段に停止表示されるまでの間、第２停止操作部に対する操作入力が操作入力無効化手段によって受け付けられるようになる。第２停止操作部に対する操作入力が受け付けられるようになると、発光制御手段により、第２発光部の発光態様は、第２停止操作部に対する操作入力が受け付けられないときとは異なったものに変化する。このため、遊技者は、変化した第２発光部の発光態様に基づいて、特定役と共に特典役が当籤役決定手段によって同時に当籤役として決定されていることを容易に認識できるようになる。
【発明の効果】
【００１３】
本発明による遊技機によれば、上記のように、停止操作部の位置の判別が難しくなってしまうことがなくなるため、照明効果を変化させて雰囲気を変えるといった遊技店の様々な営業形態の変更が可能になり、遊技店の営業形態に束縛されることのない汎用性の高い遊技機が提供される。また、第２停止操作部に対する操作入力が操作入力無効化手段によって受け付けられるようになると、停止操作部の操作範囲が拡大されると共に、第１停止操作部を囲う大きな面積で照明が変化することにより、遊技者は、停止操作部が大きくなったというインパクトを受けると共に、当籤役として特定役と共に特典役が決定された可能性があることを即座に察知して期待感を持つことができ、熟練者でない遊技者であっても十分に遊技を楽しむことができるようになる。
【発明を実施するための最良の形態】
【００１４】
次に、本発明を実施するための最良の形態について説明する。
【００１５】
図１は本実施形態によるパチスロ機１の外観を示す正面図である。
【００１６】
パチスロ機１の本体中央部の筐体内部には３個のリール２，３，４が回転自在に設けられている。各リール２〜４の外周面には複数種類の図柄（以下、シンボルという）から成るシンボル列が描かれている。これら各リール２〜４の前部にはリール表示窓部３９が設けられており、このリール表示窓部３９に形成された表示窓５，６，７を通して、各リール２〜４の外周面に描かれたシンボルがそれぞれ３個ずつ観察される。リール２〜４および表示窓５〜７は、複数のシンボルを３列に表示する図柄表示手段を構成している。
【００１７】
リール２〜４の前部のリール表示窓部３９には、同図に示すように横３本と斜め２本の計５本の入賞ラインが設けられている。また、表示窓５〜７の下方右側には、遊技者が遊技媒体であるメダルを投入するための投入口８が設けられている。ゲーム開始に先立って、遊技者が投入口８からメダルを投入すると、図２に示すように、Ｌ１（センターライン），Ｌ２Ａ（トップライン），Ｌ２Ｂ（ボトムライン），Ｌ３Ａ（クロスダウンライン），およびＬ３Ｂ（クロスアップライン）の全ての入賞ラインが一斉に有効化される。なお、同図における丸印は各リール２〜４上に描かれたシンボルを表している。以降、有効化された入賞ラインを有効化入賞ラインという。本実施形態のパチスロ機１では、メダル３枚賭けもしくは２枚賭けで遊技が行なわれる構成になっており、メダルを１枚投入すると全ての入賞ラインが一斉に有効化されるが、遊技を開始させることはできない。
【００１８】
リール表示窓部３９は、後述する液晶パネル３９ｄが電気的表示パネルとして積層されて構成されている。この液晶パネル３９ｄは、遊技者から見てリール２〜４の手前側に配設されて、上述した各リール２〜４の外周面に描かれたシンボルの表示を透過させるように構成されており、遊技に関する種々の情報や演出画像などを表示する。液晶パネル３９ｄは、演出を行う演出装置を構成している。
【００１９】
また、表示窓５〜７の左方の機器前面パネル３８には、上部から、遊技動作表示器９〜１２、メダル投入枚数表示ランプ（ベットランプ）１３〜１５、貯留枚数表示部１６、およびスタートランプ１７が設けられている。各表示器９〜１２およびベットランプ１３〜１５は遊技状況に応じて点灯制御され、その時の遊技状況やメダルの投入枚数が遊技者に通知される。貯留枚数表示部１６は、３桁の７セグメントＬＥＤ（発光ダイオード）からなり、機械内部に現在クレジットされているメダル数を表示する。スタートランプ１７は各リール２〜４が作動可能な時に点滅する。
【００２０】
また、表示窓５〜７の右方の機器前面パネル３８には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム作動時に、後述するＲＢ（レギュラーボーナス）ゲームの残り入賞可能回数などをデジタル表示する。ＷＩＮランプ１９は、後述する「ＢＢ１」または「ＢＢ２」の内部当籤役（当籤役）が決定されると点灯する。配当枚数表示部２０は、３桁の７セグメントＬＥＤからなり、入賞によるメダル払い出し枚数などを表示する。インサートランプ２１は投入口８にメダルの投入が受付可能な時に点灯する。
【００２１】
左方の機器前面パネル３８の下方には、選択ボタン２３、決定ボタン２４、１貯留メダル投入ボタン２６、２貯留メダル投入ボタン２７、および３貯留メダル投入ボタン２８が設けられている。選択ボタン２３は、液晶パネル３９ｄに表示する情報を、液晶パネル３９ｄに表示されるメニュー画面などに従って選択する際に操作され、決定ボタン２４は、選択ボタン２３で選択した情報を決定する際や液晶パネル３９ｄに表示させる際などに操作される。また、貯留メダル投入ボタン２６〜２８は、貯留枚数表示部１６にメダル数が表示されてクレジットされている際に、投入口８へのメダル投入に代えて１回のゲームに１枚〜３枚のメダルを賭ける際に使用される。
【００２２】
また、リール表示窓部３９の下方には、左側から、貯留メダル精算ボタン２９、スタートレバー３０、および停止ボタン（ストップボタン）３１，３２，３３が設けられている。貯留メダル精算ボタン２９は、機械内部にメダルをクレジットして遊技を行うか各単位遊技毎に投入口８にメダルを投入して遊技を行うかを切り替える際と、機械内部にクレジットされている全てのメダルを払い出して精算する際とに使用される。スタートレバー３０の操作により各リール２〜４の回転が一斉に開始する。スタートレバー３０は、単位遊技を開始させる開始操作手段を構成している。停止ボタン３１〜３３は、操作パネル３７上で各リール２〜４に対応して配置されており、これら各リール２〜４の回転が一定速度に達したときに停止ボタン３１〜３３の操作は有効になる。各リール２〜４の回転は、有効になった停止ボタン３１〜３３に対する遊技者の停止操作に応じて停止する。各停止ボタン３１，３２，３３は、透光性を有する部材で形成された内側の第１停止ボタン３１Ａ，３２Ａ，３３Ａと、これら各第１停止ボタン３１Ａ〜３３Ａの周囲に設けられた透光性を有する部材で形成された第２停止ボタン３１Ｂ，３２Ｂ，３３Ｂとからなる。第１停止ボタン３１Ａ〜３３Ａおよび第２停止ボタン３１Ｂ〜３３Ｂは、それぞれ第１停止操作部および第２停止操作部を構成しており、左，中，右のリール２，３，４の各列にそれぞれ対応して設けられる停止操作部を構成している。
【００２３】
また、パチスロ機１の正面下部にはメダル受皿３４が設けられている。このメダル受皿３４はメダル払出口３５から払い出されるメダルを貯めるものである。また、パチスロ機１の正面上部には、入賞に対してどれだけのメダルが払い出されるかを示す配当表示部３６が設けられている。配当表示部３６の左右には一対のスピーカカバー９６，９６が設けられており、各スピーカカバー９６，９６の背後の筐体内部には後述するスピーカが内蔵されている。各スピーカからの出音は、スピーカカバー９６，９６にスリット状に開口して形成された複数の透音孔９６ａから放出される。
【００２４】
また、パチスロ機１の筐体内部には、出玉率の設定値を設定する際に操作される図示しない設定ボタンおよびリセットボタンが設けられている。ここで、出玉率とは、パチスロ機１に投入されたメダルの総枚数に対する払い出されたメダルの総枚数の割合を示すものである。本実施形態では、出玉率の設定値として、“１”，“４”，“６”，“Ｈｉｇｈ”の４つの値が用意されており、設定ボタンが操作されると、リセットボタンが１回操作される度に配当枚数表示部２０に表示される出玉率の設定値が“１”，“４”，“６”，“Ｈｉｇｈ”の順に繰り上がり、出玉率の設定値が“Ｈｉｇｈ”の状態で更にリセットボタンが操作されると、出玉率の設定値が“１”に戻る。
【００２５】
各リール２〜４は図３（ａ）に示す回転リールユニットとして構成されており、フレーム４１にブラケット４２を介して取り付けられている。各リール２〜４はリールドラム４３の外周にリール帯４４が貼られて構成されている。リール帯４４の外周面にはシンボル列が描かれている。また、各ブラケット４２にはステッピングモータ４５が設けられており、各リール２〜４はこれらステッピングモータ４５が駆動されて回転する。
【００２６】
各リール２〜４の構造は同図（ｂ）に示される。リール帯４４の背後のリールドラム４３内部にはランプケース４６が設けられており、このランプケース４６の３個の各部屋にはそれぞれリールバックランプ４７ａ，４７ｂ，４７ｃが取り付けられている。これらリールバックランプ４７ａ〜４７ｃは、異なる複数の色を発光するＬＥＤ４７が基板４８に取り付けられて構成されており、基板４８はランプケース４６の背面に取り付けられている。また、ブラケット４２にはホトセンサ４９が取り付けられている。このホトセンサ４９は、リールドラム４３に設けられた遮蔽板５０がリールドラム４３の回転に伴ってホトセンサ４９を通過するのを検出する。
【００２７】
各リールバックランプ４７ａ〜４７ｃの点灯により、リール帯４４に描かれたシンボルの内、各リールバックランプ４７ａ〜４７ｃの前部に位置する３個のシンボルが背後から個別に照らし出され、各表示窓５〜７にそれぞれ３個ずつのシンボルが映し出される。
【００２８】
図４（ａ）は、上述した停止ボタン３１の内部構造を示す断面図であり、同図（ｂ）は、その平面図である。なお、停止ボタン３２，３３の構造は、停止ボタン３１の構造と同一であるため、それらの図示および説明は省略する。
【００２９】
上述したように、停止ボタン３１は、第１停止ボタン３１Ａとこの第１停止ボタン３１Ａの周囲に設けられた第２停止ボタン３１Ｂとから構成されており、操作パネル３７に形成された穴３７ａに摺動自在に設けられている。また、同図（ａ）に示すように、第１停止ボタン３１Ａと第２停止ボタン３１Ｂとは互いに接して配置されており、押下されない状態において一体化した外観を呈している。
【００３０】
第１停止ボタン３１Ａには、中空円筒状の脚部３１ａが中心部に突設されている。脚部３１ａは、穴３７ａ内に設けられた中空円筒状のガイド筒１２３の内部に挿入されている。また、第１停止ボタン３１Ａの裏面と穴３７ａの底面との間のガイド筒１２３の周囲には、円筒コイルばね１３１が設けられており、第１停止ボタン３１Ａは同図の上方向に付勢されている。第１停止ボタン３１Ａは、円筒コイルばね１３１の弾性力に逆らって同図の下方向に押下されることにより、脚部３１ａの外周面がガイド筒１２３の内周面を摺動し、下方向に移動する。また、ガイド筒１２３の内周面の上部には、一対の発光素子１２７Ａおよび受光素子１２７Ｂからなるフォトセンサ１２７が設けられており、脚部３１ａの基部には導光穴３１ｍ，３１ｍが形成されている。第１停止ボタン３１Ａが同図の下方向に押下されて導光穴３１ｍ，３１ｍが発光素子１２７Ａおよび受光素子１２７Ｂの間に位置すると、発光素子１２７Ａから発する光が導光穴３１ｍ，３１ｍを通過して受光素子１２７Ｂで受光されて、第１停止ボタン３１Ａの押下が検出される。
【００３１】
また、第２停止ボタン３１Ｂには、第１停止ボタン３１Ａの操作部の外周よりも一回り大きな直径をした中空円筒状の脚部３１ｂが突設されており、その内部は図示するように空洞になっている。脚部３１ｂは、穴３７ａ内に設けられた、穴３７ａの中心を中心をし、第１停止ボタン３１Ａの操作部の外周とほぼ同じ直径をした中空円筒状のガイド筒１２４と、このガイド筒１２４よりも一回り大きな直径をしたガイド筒１２５との間に挿入されている。また、第２停止ボタン３１Ｂの裏面と穴３７ａの底面との間のガイド筒１２５の周囲には、ガイド筒１２５を囲う円筒コイルばね１３２が設けられており、第２停止ボタン３１Ｂは同図（ａ）の上方向に付勢されている。第２停止ボタン３１Ｂは、円筒コイルばね１３２の弾性力に逆らって同図の下方向に押下されることにより、脚部３１ｂの外周がガイド筒１２４，１２５の対向する周面間を摺動し、下方向に移動する。また、ガイド筒１２４，１２５の対向する周面の右方上部には、発光素子１２８Ａおよび受光素子１２８Ｂからなるフォトセンサ１２８が設けられており、脚部３１ｂの右方の基部には導光穴３１ｎ，３１ｎが形成されている。第２停止ボタン３１ｂが同図の下方向に押下されて導光穴３１ｎ，３１ｎが発光素子１２８Ａおよび受光素子１２８Ｂの間に位置すると、発光素子１２８Ａから発する光が導光穴３１ｎ，３１ｎを通過して受光素子１２８Ｂで受光されて、第２停止ボタン３１Ｂの押下が検出される。
【００３２】
また、脚部３１ａおよび脚部３１ｂの各内部には、それぞれ、複数の色で発光する第１のＬＥＤ（発光ダイオード）１２１および第２のＬＥＤ１２２が設けられている。同図（ｂ）に示すように、第１のＬＥＤ１２１は、脚部３１ａ内部の中心に１個配置されており、第２のＬＥＤ１２２は、脚部３１ｂ内部の４箇所に等間隔に配置されている。第１のＬＥＤ１２１は、第１停止ボタン３１Ａ〜３３Ａを照明する第１発光部を構成している。また、第２のＬＥＤ１２２は、第２停止ボタン３１Ｂ〜３３Ｂを照明する第２発光部を構成している。
【００３３】
本実施形態におけるパチスロ機１の遊技状態には、「一般遊技状態」および「ＲＢ（レギュラーボーナス）遊技状態」がある。これらの各遊技状態は、基本的に、内部当籤する可能性のある役の種類などにより区別される。
【００３４】
「一般遊技状態」は、パチスロ機１に電源が投入された直後における遊技状態であり、後述する内部抽籤処理において全ての役が決定される遊技状態である。
【００３５】
「ＲＢ遊技状態」は、後述する内部抽籤処理において小役（赤チェリー、青チェリー、ベルおよびスイカ）のみが内部当籤役として決定される遊技状態であり、各小役の当籤確率が全般的に高くなると共に、特に、小役のうちベルの当籤確率が高くなる遊技状態である。この「ＲＢ遊技状態」ではＲＢゲームが行なわれ、１回のＲＢゲームは、遊技可能回数である１２回の単位遊技が行われるか、または、入賞可能回数である８回の入賞が成立すると、終了する。
【００３６】
遊技者に有利な特典遊技を構成するＢＢゲームの作動中は、遊技状態が「ＲＢ遊技状態」となる。ＢＢゲームは、複数回のＲＢゲームから構成され、ＢＢゲームに対応するＢＢ１またはＢＢ２の当籤役が特典役として決定されて、このＢＢ１またはＢＢ２に対応するシンボルの組合わせが何れかの有効化入賞ライン上に停止表示されて表示役が成立すると、作動する。ＢＢゲームの作動中には、ＲＢゲームが連続して複数回作動するが、作動してからのメダルの総払出枚数が３００枚に達すると、繰り返して実行されるＲＢゲームが中断されて、ＢＢゲームは終了する。
【００３７】
ＢＢ１またはＢＢ２が当籤役として決定されたときにセットされるボーナス当たり要求フラグは、フラグが立てられた以降の単位遊技に持ち越され、ＢＢ１またはＢＢ２のシンボルの組合わせが有効化入賞ライン上に停止表示されてボーナスが実際に成立すると、ボーナス当たり要求フラグはクリアされる。ＢＢ１またはＢＢ２のボーナスが持ち越されている一般遊技状態は、内部当籤状態（持越状態）と呼ばれる。また、ボーナス当たり要求フラグ以外の当籤要求フラグは、フラグが立てられた単位遊技においてのみ有効であり、その単位遊技終了時にはクリアされて次遊技以降には持ち越されない。なお、内部当籤役を持ち越すとは、後述する内部抽籤処理で決定された内部当籤役としての機能を次回以降の単位遊技において発揮できるようにすれば足り、種々の態様に適宜変更可能である。ここで、単位遊技とは、遊技者のスタートレバー３０に対する操作に応じてリール２〜４が回転してから、遊技者の停止ボタン３１〜３３に対する操作に応じてリール２〜４の回転が停止し、この際に有効化入賞ライン上に揃ったシンボルの組合わせに応じたメダルの払い出しが行われるまでか、次回のゲームの開始が許可される（次回のゲームが始まる）前までのことである。
【００３８】
図５および図６は、上述したパチスロ機１の遊技処理動作を制御するメイン制御基板６１およびサブ制御基板６２ａ，６２ｂに構成された回路構成を示している。メイン制御基板６１には主制御回路が構成されており、サブ制御基板６２ａには画像制御回路（ｇＳｕｂ）、サブ制御基板６２ｂには音・ランプ制御回路（ｍＳｕｂ）が構成されている。
【００３９】
図５に示すメイン制御基板６１における制御部はマイクロコンピュータ（以下、マイコンという）６３を主な構成要素とし、これに乱数サンプリングのための回路を加えて構成されている。マイコン６３は、予め設定されたプログラムに従って制御動作を行うメインＣＰＵ（中央演算処理装置）６４と、プログラム記憶手段であるプログラムＲＯＭ（リード・オンリ・メモリ）６５およびバックアップ機能付き制御ＲＡＭ（ランダム・アクセス・メモリ）６６とを含んで構成されている。メインＣＰＵ６４には、基準クロックパルスを発生するクロックパルス発生回路６７および分周器６８と、一定範囲の乱数を発生する乱数発生器６９、および発生した乱数の１つを特定するサンプリング回路７０とが接続されている。さらに、メインＣＰＵ６４には、後述する周辺装置（アクチュエータ）との間で信号を授受するＩ／Ｏポート７１が接続されている。プログラムＲＯＭ６５は、後述する各種テーブルやデータ、シーケンスプログラムなどを格納するように記憶部が区分されている。また、制御ＲＡＭ６６には、後述する各種格納領域などが設けられている。
【００４０】
マイコン６３からの制御信号により動作が制御される主要なアクチュエータとしては、各リール２〜４を回転駆動するステッピングモータ４５、およびメダルを収納するホッパー７２がある。これらはそれぞれモータ駆動回路７４、およびホッパー駆動回路７６によって駆動される。これら各駆動回路７４、７６は、マイコン６３のＩ／Ｏポート７１を介してメインＣＰＵ６４に接続されている。
【００４１】
また、マイコン６３が制御信号を生成するために必要な入力信号を発生する主な入力信号発生手段としては、投入口８から投入されたメダルを検出する投入メダルセンサ８Ｓ、スタートレバー３０の操作を検出するスタートスイッチ３０Ｓ、貯留メダル投入ボタン２６，２７，２８の操作を検出する貯留メダル投入スイッチ２６Ｓ，２７Ｓ，２８Ｓ、および貯留メダル精算ボタン２９の操作を検出する貯留メダル精算スイッチ２９Ｓがある。
【００４２】
スタートスイッチ３０Ｓは、スタートレバー３０に対する単位遊技の開始操作の検出を行なう開始操作検出手段を構成している。乱数発生器６９は、乱数を発生させる乱数発生手段を構成している。サンプリング回路７０は、スタートスイッチ３０Ｓにより行なわれる開始操作の検出に基づいて、乱数発生器６９によって発生される乱数の中から任意の乱数を抽出する乱数抽出手段を構成している。また、マイコン６３は、サンプリング回路７０により抽出された一の乱数が属する数値範囲に基づいて単位遊技における当籤役を決定し、一の乱数が予め設定された数値範囲に属する場合には、複数の当籤役、本実施形態では「ＢＢ１」または「ＢＢ２」と「スイカ」の小役とを同時に当籤役として決定する当籤役決定手段を構成している。また、マイコン６３は、特典役である「ＢＢ１」または「ＢＢ２」と同時に当籤役として決定されることがある特定役、本実施形態では「スイカ」の小役が当籤役決定手段によって当籤役として決定されなかった場合、第２停止操作部である第２停止ボタン３１Ｂ〜３３Ｂに対する操作入力を受け付けなくする操作入力無効化手段を構成している。
【００４３】
また、上記の入力信号発生手段としては、ホトセンサ４９からの出力パルス信号を受けて各リール２〜４の回転位置を検出するリール位置検出回路７７がある。ホトセンサ４９は各リール２〜４の駆動機構に含まれており、同図では図示されていない。リール位置検出回路７７は、リール２〜４の回転が開始された後、ステッピングモータ４５の各々に供給される駆動パルスの数を計数し、この計数値を制御ＲＡＭ６６の所定エリアに書き込む。従って、制御ＲＡＭ６６内には、各リール２〜４について、一回転の範囲内における回転位置に対応した計数値が格納されている。また、ホトセンサ４９は、各リール２〜４が一回転する毎に、リールインデックスとして設けられている遮蔽板５０を検出してリセットパルスを発生する。このリセットパルスはリール位置検出回路７７を介してメインＣＰＵ６４に与えられ、メインＣＰＵ６４は、このリセットパルスに基づいて、制御ＲＡＭ６６で計数されている駆動パルスの計数値を“０”にクリアする。このクリア処理により、各シンボルの移動表示と各ステッピングモータ４５の回転との間に生じるずれが、１回転毎に解消される。
【００４４】
上記のマイコン６３、ステッピングモータ４５、モータ駆動回路７４、およびリール位置検出回路７７は、スタートスイッチ３０Ｓにより行なわれる開始操作の検出に基づいて、図柄表示手段により表示されるシンボルの変動を行なう図柄変動手段を構成している。
【００４５】
さらに、上記の入力信号発生手段としては、停止ボタン３１〜３３が押された時に対応するリールを停止させる信号を発生するリール停止信号回路７８と、ホッパー７２から払い出されるメダル数を計数するメダル検出部７２Ｓおよび払出完了信号発生回路７３とがある。払出完了信号発生回路７３は、メダル検出部７２Ｓから入力した実際に払い出しのあったメダル計数値が配当枚数データに達した時に、メダル払い出しの完了を検知する信号を発生する。これら入力信号発生手段を構成する各回路７３，７８も、Ｉ／Ｏポート７１を介してメインＣＰＵ６４に接続されている。
【００４６】
リール停止信号回路７８は、第１停止ボタン３１Ａ〜３３Ａおよび第２停止ボタン３１Ｂ〜３３Ｂからなる停止ボタン３１〜３３に対する停止操作の検出を行う停止操作検出手段を構成している。また、マイコン６３、ステッピングモータ４５、モータ駆動回路７４、およびリール位置検出回路７７は、当籤役決定手段により決定された当籤役とリール停止信号回路７８により行なわれる停止操作の検出とに基づいて、図柄変動手段により行われるシンボルの変動を停止させる制御を行う停止制御手段を構成している。また、マイコン６３、ホッパー７２、メダル検出部７２Ｓ、ホッパー駆動回路７６、および払出完了信号発生回路７３は、停止制御手段により図柄表示手段に停止表示されたシンボルの組合わせに応じて遊技者にメダルを遊技媒体として付与する遊技媒体付与手段を構成している。また、マイコン６３は、当籤役決定手段により遊技者に有利な特典遊技を構成するＢＢゲームに対応するＢＢ１またはＢＢ２が特典役として決定されて、このＢＢ１またはＢＢ２に対応するシンボルの組合わせ（“赤７−赤７−赤７”，“青７−青７−青７”）が停止制御手段により図柄表示手段に停止表示されると、ＢＢゲームを作動させる特典遊技作動手段を構成している。
【００４７】
また、Ｉ／Ｏポート７１にはサブ制御部通信ポート７９が接続されており、マイコン６３は、このサブ制御部通信ポート７９を介してサブ制御基板６２ａへ信号を送出する。
【００４８】
図６に示すサブ制御基板６２ａには、この信号を受信するシリアルポート８０ａが設けられている。サブ制御部通信ポート７９およびシリアルポート８０ａ間の通信は、サブ制御部通信ポート７９からシリアルポート８０ａへ向かう一方向についてだけ行われる。本実施形態では、サブ制御部通信ポート７９からシリアルポート８０ａへ送出される信号は、７ビット長でその制御種別が表されるコマンド種別と、８ビットまたは２４ビット長でそのコマンドの内容が表されるパラメータとのセットで構成されている。
【００４９】
サブ制御基板６２ａは、画像制御ＣＰＵ８１、プログラムＲＯＭ８２およびワークＲＡＭ８３を主な構成要素として備えている。プログラムＲＯＭ８２には、後述する各種テーブルや画像制御に必要なシーケンスプログラムなどが格納されている。また、プログラムＲＯＭ８２には、操作入力無効化手段によって操作入力が無効にされているときに行われる演出のデータが記憶されている。また、ワークＲＡＭ８３には、画像制御ＣＰＵ８１により種々の処理が行なわれる際の一時的なデータなどが格納される。
【００５０】
また、画像制御ＣＰＵ８１には、制御ＲＡＭ８８を有するＶＤＰ（ビデオ・ディスプレイ・プロセッサ）８６が接続されており、このＶＤＰ８６には、キャラクタ・データ等が記憶された画像ＲＯＭ（ＣＲＯＭ）８７、およびカラーディスプレイ表示用バッファメモリであるビデオＲＡＭ８９が接続されている。画像制御ＣＰＵ８１は、プログラムＲＯＭ８２に記憶されたシーケンスプログラムに従い、ワークＲＡＭ８３を作業領域としてＶＤＰ８６を制御し、ＶＤＰ８６は、画像制御ＣＰＵ８１の制御の下、画像ＲＯＭ８７から読み込んだキャラクタ・データに基づいて液晶パネル３９ｄに画像表示を行う。この画像制御は、カレンダＩＣ（集積回路）８４から入力した日付時刻情報を用いて行われ、前述した選択ボタン２３および決定ボタン２４などの操作部に対する操作入力や、メイン制御基板６１から送信された各種コマンドの受信などに応じて行われる。上記ワークＲＡＭ８３およびカレンダＩＣ８４は、停電時におけるバックアップ対象になっている。
【００５１】
画像制御ＣＰＵ８１は、シリアルポート８０ａを介して受信した各種コマンド等に基づいて遊技状態や当籤フラグの種類といった情報を取り込み、取り込んだ情報に基づいて、液晶パネル３９ｄに表示する画像を選択する。そして、ＶＤＰ８６を制御して、選択した画像を液晶パネル３９ｄに表示させる。また、液晶パネル３９ｄに表示されるメニュー画面の表示に従って選択ボタン２３および決定ボタン２４が操作されると、画像制御ＣＰＵ８１の制御の下、遊技履歴情報やＢＢ１またはＢＢ２の入賞回数などといった遊技に関する情報がＶＤＰ８６により液晶パネル３９ｄに表示される。
【００５２】
また、サブ制御基板６２ａのシリアルポート８０ａは、サブ制御基板６２ｂのシリアルポート８０ｂに接続されている。サブ制御基板６２ｂの音・ランプ制御ＣＰＵ９０には、プログラムが記憶されたプログラムＲＯＭ９１、および作業領域となるワークＲＡＭ９２が接続されている。音・ランプ制御ＣＰＵ９０は、シリアルポート８０ａを介してシリアルポート８０ｂで受信した制御信号に基づき、ランプ類９８およびＬＥＤ類９９などの点灯を制御する。ランプ類９８は、ベットランプ１３〜１５、スタートランプ１７、ＷＩＮランプ１９、インサートランプ２１などを示している。ＬＥＤ類９９は、各リール２〜４に内蔵されたリールバックランプ４７ａ〜４７ｃ、遊技動作表示器９〜１２、貯留枚数表示部１６、ボーナスカウント表示部１８、配当枚数表示部２０、および上述した各停止ボタン３１Ａ〜３３Ａ，３１Ｂ〜３３Ｂ内部に内蔵された第１のＬＥＤ１２１，第２のＬＥＤ１２２などを示している。
【００５３】
画像制御ＣＰＵ８１および音・ランプ制御ＣＰＵ９０は、操作入力無効化手段によって第２停止ボタン３１Ｂ〜３３Ｂに対する操作入力が受け付けられなくなっている場合と受け付けられている場合とで第２のＬＥＤ１２２の発光態様を異ならせて、第１のＬＥＤ１２１および第２のＬＥＤ１２２の発光制御を行う発光制御手段を構成している。発光制御手段は、特定役である「スイカ」の小役が当籤役決定手段によって当籤役として決定されている場合、第２のＬＥＤ１２２を特定役である「スイカ」の小役に応じた発光態様に発光制御する。本実施形態では、発光制御手段は、第１のＬＥＤ１２１および第２のＬＥＤ１２２を白色で発光制御すると共に、特定役を構成する「スイカ」の小役が当籤役として決定されると、白色で発光させていた第２のＬＥＤ１２２を「スイカ」の小役に応じた緑色に発光制御する。
【００５４】
また、音・ランプ制御ＣＰＵ９０には、音源ＩＣ９３およびパワーアンプ９５を介して、スピーカカバー９６，９６の背後に設けられた前述したスピーカ１０１，１０１が接続されており、さらに、音量調節部９７が接続されている。音・ランプ制御ＣＰＵ９０は、プログラムＲＯＭ９１に記憶されたプログラムに従って音源ＩＣ９３を制御し、音源ＩＣ９３は、音・ランプ制御ＣＰＵ９０によるこの制御に従い、音源ＲＯＭ９４に記憶されたサウンド・データを読み出す。そして、読み出したデータを、音量調節部９７からの入力に応じた増幅度に従ってパワーアンプ９５において増幅させ、メダル投入音やスタートレバー操作音，停止ボタン操作音，ＢＢゲーム中の遊技音といった効果音をスピーカ１０１，１０１から出力させる。
【００５５】
図７〜図１２は、メイン制御基板６１のプログラムＲＯＭ６５に記憶された各種テーブルおよびデータを示す図である。
【００５６】
図７は、左，中，右の各リール２，３，４のリール帯４４に描かれた複数種類のシンボルの配置を示すシンボル配置テーブルを概念的に示す図である。
【００５７】
シンボル配置テーブルでは、各シンボルに対してシンボル位置を表わす“０”〜“２０”のコードナンバーが付されている。各リール２〜４の各コードナンバーには、それぞれ、“赤チェリー”、“青チェリー”、“ベル”、“スイカ”、“リプレイ”、“赤７”、“青７”および“ブランク”の８種類のシンボルのうちの何れかが対応づけられている。各リール２〜４は、シンボル列が図の矢印方向に移動するように回転駆動される。本実施形態では、シンボル“赤チェリー”、“青チェリー”、“ベル”、“スイカ”、“リプレイ”、“赤７”、“青７”は、それぞれ、赤色のチェリーの絵柄、青色のチェリーの絵柄、黄色のベルの絵柄、緑色のスイカの絵柄、楕円形の中に青色の文字「Replay」を表した絵柄、赤色の文字「７」を表した絵柄、青色の文字「７」を表した絵柄からなる。また、シンボル“ブランク”が配置される部分には、絵柄は何も描かれていない。
【００５８】
同図に示すように、左リール２におけるシンボル“スイカ”はコードナンバー“１３”および“２０”にのみ位置し、所定の図柄変動範囲である４コマの間隔を越えて配置されている。また、中リール３におけるシンボル“スイカ”はコードナンバ“１”，“６”，“１５”，および“１９”に位置し、コードナンバー“６”および“１５”間が４コマの間隔を越えて配置されている。また、右リール４におけるシンボル“スイカ”はコードナンバ“１０”および“１４”にのみ位置し、４コマの間隔を越えて配置されている。従って、スイカの小役は、図柄表示手段によって所定の図柄変動範囲、本実施形態ではシンボル４コマ分の変動範囲を超えて表示されるシンボルを含んでいる。
【００５９】
図８は、シンボル組合わせテーブルを概念的に示す図である。
【００６０】
シンボル組合わせテーブルは、表示役およびメダル払出枚数を特定する際に用いられる。シンボル組合わせテーブルには、左リール２，中リール３，右リール４について有効化入賞ライン上に表示されたシンボルの組合わせと、表示役と、メダル払出枚数との関係が記憶されている。各リール２〜４の欄に表されるシンボルの組合わせが有効化入賞ライン上に表示されると、対応する表示役欄に表される表示役および払出枚数欄に表される枚数が、それぞれ表示役およびメダルの払出枚数として特定される。
【００６１】
同図に示すように、“赤チェリー−ＡＮＹ−ＡＮＹ”が有効化入賞ライン上に表示されると、“０００００００１”の「赤チェリー」の小役が表示役として特定され、投入枚数が２枚および３枚のいずれの場合であっても２枚が払出枚数として特定される。なお、「ＡＮＹ」はどのシンボルでもよいことを表す。また、“青チェリー−ＡＮＹ−ＡＮＹ”が有効化入賞ライン上に表示されると、“００００００１０”の「青チェリー」の小役が表示役として特定され、投入枚数が２枚および３枚のいずれの場合であっても２枚が払出枚数として特定される。また、“ベル−ベル−ベル”が有効化入賞ライン上に表示されると、“０００００１００”の「ベル」の小役が表示役として特定され、投入枚数が２枚および３枚のいずれの場合であっても１５枚が払出枚数として特定される。また、“スイカ−スイカ−スイカ”が有効化入賞ライン上に表示されると、“００００１０００”の「スイカ」の小役が表示役として特定され、投入枚数が２枚および３枚のいずれの場合であっても６枚が払出枚数として特定される。また、“リプレイ−リプレイ−リプレイ”が有効化入賞ライン上に表示されると、“０００１００００”の「リプレイ」が表示役として特定され、投入枚数が２枚および３枚のいずれの場合であっても０枚が払出枚数として特定される。表示役として「リプレイ」が特定されると、その単位遊技で遊技に賭けられた枚数と同じ枚数のメダルが、次の単位遊技で自動投入される（図１７，Ｓ４３参照）。また、“赤７−赤７−赤７”が有効化入賞ライン上に表示されると、“００１０００００”の「ＢＢ１」が表示役として特定され、投入枚数が２枚および３枚のいずれの場合であっても０枚が払出枚数として特定される。また、“青７−青７−青７”が有効化入賞ライン上に表示されると、“０１００００００”の「ＢＢ２」が表示役として特定され、投入枚数が２枚および３枚のいずれの場合であっても０枚が払出枚数として特定される。表示役として「ＢＢ１」または「ＢＢ２」が特定されると、次の単位遊技からＢＢゲームが行なわれる。上記以外のシンボルの組合わせが有効化入賞ライン上に表示されると、「ハズレ」が表示役として特定され、投入枚数が２枚および３枚のいずれの場合であっても０枚が払出枚数として特定される。
【００６２】
図９は、内部抽籤テーブル決定テーブルを概念的に示す図である。
【００６３】
内部抽籤テーブル決定テーブルは、後述する内部抽籤処理（図１５，Ｓ７参照）において、内部抽籤テーブルおよび抽籤回数を決定する際に用いられる。このテーブルでは、各遊技状態毎に、抽籤に用いる内部抽籤テーブルの種別、および抽籤回数を表すデータが割り当てられている。後述する内部抽籤処理では、各遊技状態に対応する内部抽籤テーブルを用いて、各遊技状態に対応する抽籤回数だけ抽籤が行われる。一般遊技状態には、一般遊技状態用内部抽籤テーブルおよび抽籤回数７回を表すデータが割り当てられており、一般遊技状態中の各単位遊技では、内部抽籤テーブルとして一般遊技状態用内部抽籤テーブル、抽籤回数として７回が決定される。また、ＲＢ遊技状態には、ＲＢ遊技状態用内部抽籤テーブルおよび抽籤回数４回を表すデータが割り当てられており、ＲＢ遊技状態中の各単位遊技では、内部抽籤テーブルとしてＲＢ遊技状態用内部抽籤テーブル、抽籤回数として４回が決定される。
【００６４】
図１０は、内部抽籤テーブルを概念的に示す図であり、同図（ａ）は内部当籤状態を含む一般遊技状態で用いられる一般遊技状態用内部抽籤テーブル、同図（ｂ）はＲＢ遊技状態で用いられるＲＢ遊技状態用内部抽籤テーブルである。
【００６５】
各内部抽籤テーブルは、後述する内部抽籤処理において当籤役を決定する際に用いられ、乱数発生器６９で発生してサンプリング回路７０で抽出された０〜６５５３５の範囲の乱数を、各当籤番号１〜７に区分けする数値範囲を下限値および上限値として記憶している。各当籤番号は各当籤役に対応づけられている。
【００６６】
同図（ａ）に示す一般遊技状態用内部抽籤テーブルは、一般遊技状態においてメダルが３枚投入されたときに用いられる内部抽籤テーブルである。
【００６７】
この一般遊技状態用内部抽籤テーブルでは、赤チェリーの小役に対応付けられた当籤番号１には下限値２６２，上限値１３５３の幅１０９２の数値範囲が割り当てられており、当籤確率は１０９２／６５５３６である。また、青チェリーの小役に対応付けられた当籤番号２には下限値１３５４，上限値２４４５の幅１０９２の数値範囲が割り当てられており、当籤確率は１０９２／６５５３６である。また、ベルの小役に対応付けられた当籤番号３には下限値２４４６，上限値６９３３の幅４４８８の数値範囲が割り当てられており、当籤確率は４４８８／６５５３６である。また、スイカの小役に対応付けられた当籤番号４には下限値６９３４，上限値７５８８の幅６５５の数値範囲が割り当てられており、当籤確率は６５５／６５５３６である。また、リプレイに対応付けられた当籤番号５には下限値７５８９，上限値１６５６８の幅８９８０の数値範囲が割り当てられており、当籤確率は８９８０／６５５３６である。また、ＢＢ１に対応付けられた当籤番号６には下限値７０００，上限値７１９９の幅２００の数値範囲が割り当てられており、当籤確率は２００／６５５３６である。また、ＢＢ２に対応付けられた当籤番号７には下限値７２００，上限値７３９９の幅２００の数値範囲が割り当てられており、当籤確率は２００／６５５３６である。また、抽出された乱数が上記のいずれの数値範囲にも該当しない場合は、ハズレに対応する当籤番号０が決定される。ハズレとなる確率は４８８２９／６５５３６である。
【００６８】
上記のように、当籤番号６のＢＢ１に割り当てられている７０００〜７１９９の幅２００の数値範囲、および、当籤番号７のＢＢ２に割り当てられている７２００〜７３９９の幅２００の数値範囲は、それぞれ、当籤番号４のスイカの小役に割り当てられている数値範囲６９３４〜７５８８と重複しており、本実施形態ではこのスイカの小役の数値範囲に含まれている。従って、乱数発生器６９で発生してサンプリング回路７０で抽出された一の乱数が、ＢＢ１とスイカの小役との重複数値範囲（７０００〜７１９９）に属する場合には、ＢＢ１とスイカの小役との両方の役が当籤役として同時に決定される。また、乱数発生器６９で発生してサンプリング回路７０で抽出された一の乱数が、ＢＢ２とスイカの小役との重複数値範囲（７２００〜７３９９）に属する場合には、ＢＢ２とスイカの小役との両方の役が当籤役として同時に決定される。また、乱数発生器６９で発生してサンプリング回路７０で抽出された一の乱数が、重複数値範囲（７０００〜７３９９）に含まれない数値範囲（６９３４〜６９９９，７４００〜７５８８）に属する場合には、スイカの小役が当籤役として決定され、ＢＢ１およびＢＢ２は同時に決定されない。
【００６９】
同図（ｂ）に示すＲＢ遊技状態用内部抽籤テーブルは、ＲＢ遊技状態においてメダルが２枚投入されたときに用いられる内部抽籤テーブルである。
【００７０】
このＲＢ遊技状態用内部抽籤テーブルでは、赤チェリーの小役に対応付けられた当籤番号１には下限値０，上限値４３６９の幅４３７０の数値範囲が割り当てられており、当籤確率は４３７０／６５５３６である。また、青チェリーの小役に対応付けられた当籤番号２にも下限値０，上限値４３６９の幅４３７０の数値範囲が割り当てられており、当籤確率は４３７０／６５５３６である。また、ベルの小役に対応付けられた当籤番号３には下限値４３７０，上限値３７１３７の幅３２７６８の数値範囲が割り当てられており、当籤確率は３２７６８／６５５３６である。また、スイカの小役に対応付けられた当籤番号４には下限値３７１３８，上限値６５５３５の幅２８３９８の数値範囲が割り当てられており、当籤確率は２８３９８／６５５３６である。
【００７１】
ＲＢ遊技状態用内部抽籤テーブルでは、リプレイ，ＢＢ１およびＢＢ２には当籤番号が対応付けられておらず、上記のＲＢ遊技状態用内部抽籤テーブルが用いられるＲＢ遊技状態では、リプレイ，ＢＢ１およびＢＢ２が当籤役として決定されることはない。また、上記のように、ＲＢ遊技状態用内部抽籤テーブルでは、当籤番号１，２，３，４に対応する各小役が当籤役として決定される確率が、同図（ａ）に示した一般遊技状態用内部抽籤テーブルに比べて、それぞれ、約４倍，約４倍，約７倍，約４３倍と全般的に高くなっており、特に、最も配当の高い当籤番号４（スイカ）に対応する小役の一般遊技状態に対する倍率が高くなっている。また、当籤役がハズレとなることはない。従って、ＲＢ遊技状態用内部抽籤テーブルは遊技者に有利なものになっている。
【００７２】
図１１は、内部当籤役決定テーブルを概念的に示す図である。
【００７３】
内部当籤役決定テーブルは、後述する内部抽籤処理において当籤役を決定する際に用いられる。内部当籤役決定テーブルでは、内部抽籤テーブル（図１０（ａ），（ｂ）参照）を用いて決定される各当籤番号「０」〜「７」と、当籤役の種別毎に異なる８ビットデータとが、対応付けられている。
【００７４】
同図に示すように、当籤番号「０」には、「ハズレ」のデータ“００００００００”が対応付けられている。また、当籤番号「１」，「２」，「３」，「４」，「５」，「６」および「７」には、「赤チェリー」の小役のデータ“０００００００１”，「青チェリー」の小役のデータ“００００００１０”，「ベル」の小役のデータ“０００００１００”，「スイカ」の小役のデータ“００００１０００”，「リプレイ」のデータ“０００１００００”，「ＢＢ１」のデータ“００１０００００”，および「ＢＢ２」のデータ“０１００００００”がそれぞれ対応付けられている。
【００７５】
図１２は、ボーナス作動時テーブルを概念的に示す図である。
【００７６】
ボーナス作動時テーブルは、後述するボーナス作動監視処理およびボーナス作動チェック処理で用いられる。ボーナス作動時テーブルでは、ＢＢ作動時欄およびＲＢ作動時欄に示すデータと、これらの各データが格納される、格納領域欄に示す制御ＲＡＭ６６内の各格納領域とが対応付けられている。
【００７７】
ＢＢ作動時欄には、作動中フラグ格納領域にＢＢゲームが作動中であることを表すＢＢ作動中フラグ、ボーナス終了枚数カウンタ格納領域にＢＢゲーム中に獲得できるメダル枚数３００枚を表す数値が、それぞれ対応づけられている。また、ＲＢ作動時欄には、作動中フラグ格納領域にＲＢゲームが作動中であることを表すＲＢ作動中フラグ、遊技可能回数カウンタ格納領域に１回のＲＢゲーム中に行える単位遊技回数１２回を表す数値、入賞可能回数カウンタ格納領域に１回のＲＢゲーム中に小役の入賞を成立させることができる回数８回を表す数値が、それぞれ対応づけられている。
【００７８】
図１３は、メイン制御基板６１の制御ＲＡＭ６６に設けられた種々の格納領域を概念的に示しており、同図（ａ）は内部当籤役格納領域、同図（ｂ）は持越役格納領域、同図（ｃ）は作動中フラグ格納領域である。
【００７９】
同図（ａ）に示す内部当籤役格納領域には、図１１に示す内部当籤役決定テーブルを参照して内部抽籤処理で決定された内部当籤役を表すデータが格納される。同図に示すように、内部当籤役格納領域はビット０〜ビット７の８ビットで構成されており、各ビットにはデータ欄に示される数値（“０”または“１”）がセットされる。
【００８０】
内部当籤役が「赤チェリー」を表す“０００００００１”である場合、ビット１〜ビット７には数値“０”がセットされ、ビット０には数値“１”がセットされる。また、内部当籤役が「青チェリー」を表す“００００００１０”である場合、ビット０，ビット２〜ビット７には数値“０”がセットされ、ビット１には数値“１”がセットされる。また、内部当籤役が「ベル」を表す“０００００１００”である場合、ビット０，ビット１，ビット３〜ビット７には数値“０”がセットされ、ビット２には数値“１”がセットされる。また、内部当籤役が「スイカ」を表す“００００１０００”である場合、ビット０〜ビット２，ビット４〜ビット７には数値“０”がセットされ、ビット３には数値“１”がセットされる。また、内部当籤役が「リプレイ」を表す“０００１００００”である場合、ビット０〜ビット３，ビット５〜ビット７には数値“０”がセットされ、ビット４には数値“１”がセットされる。また、内部当籤役が「ＢＢ１」を表す“００１０００００”である場合、ビット０〜ビット４，ビット６，ビット７には数値“０”がセットされ、ビット５には数値“１”がセットされる。また、内部当籤役が「ＢＢ２」を表す“０１００００００”である場合、ビット０〜ビット５，ビット７には数値“０”がセットされ、ビット６には数値“１”がセットされる。
【００８１】
また、「ＢＢ１」と「スイカ」の小役とが同時に当籤役として決定されたときには、ビット３，ビット５に数値“１”がセットされ、ビット０〜ビット２，ビット４，ビット６，ビット７に数値“０”がセットされる。また、「ＢＢ２」と「スイカ」の小役とが同時に当籤役として決定されたときには、ビット３，ビット６に数値“１”がセットされ、ビット０〜ビット２，ビット４，ビット５，ビット７に数値“０”がセットされる。
【００８２】
また、格納領域には、図示しない表示役格納領域がある。表示役格納領域には、内部当籤役が表示役として成立したときに、その表示役データが内部当籤役格納領域と同じデータで格納される。表示役格納領域は内部当籤役格納領域と同じ構成を有しており、表示役の種別を表すフラグの立てられるビットも同じである。
【００８３】
同図（ｂ）に示す持越役格納領域には、持越役の有無を表すデータが格納される。同図に示すように、持越役格納領域はビット０〜ビット７の８ビットで構成されており、各ビットにはデータ欄に示される数値（“０”または“１”）がセットされる。内部当籤役「ＢＢ１」が持ち越されている場合には、ビット０〜ビット４，ビット６，ビット７に数値“０”がセットされ、ビット５に数値“１”がセットされる。また、内部当籤役「ＢＢ２」が持ち越されている場合には、ビット０〜ビット５，ビット７に数値“０”がセットされ、ビット６に数値“１”がセットされる。
【００８４】
同図（ｃ）に示す作動中フラグ格納領域には、作動中フラグの種別を表すデータが格納される。同図に示すように、作動中フラグ格納領域はビット０〜ビット７の８ビットで構成されており、各ビットにはデータ欄に示される数値（“０”または“１”）がセットされる。ＢＢゲームが作動中でＲＢゲームが行なわれるときには、作動中フラグ格納領域のビット１〜ビット７に数値“０”がセットされ、ビット０に数値“１”がＲＢ作動中フラグとしてセットされる。また、ＢＢ１またはＢＢ２の表示役が成立してＢＢゲームが作動中のときには、作動中フラグ格納領域のビット０，ビット２〜ビット７に数値“０”がセットされ、ビット１に数値“１”がＢＢ作動中フラグとしてセットされる。従って、ＢＢゲームが作動してＲＢゲームが行なわれるときには、ビット０，ビット１の両方に数値“１”がセットされることになる。
【００８５】
また、図示は省略するが、サブ制御基板６２ａのワークＲＡＭ８３にも上記（ａ）〜（ｃ）に示す各格納領域と同様に、内部当籤役格納領域（サブ）、持越役格納領域（サブ）、および作動中フラグ格納領域（サブ）が設けられている。画像制御ＣＰＵ８１は、これらの格納領域を参照することで内部当籤役の種別や持越役の有無、遊技状態などを判別する。
【００８６】
図１４は、サブ制御基板６２ａのプログラムＲＯＭ８２に記憶された演出決定用のテーブルを概念的に示す図であり、同図（ａ）は、一般遊技状態で用いられる一般遊技状態用演出決定テーブル、同図（ｂ）は、一般遊技状態で「スイカ」の小役が内部当籤したときに用いられる第２停止操作部用発光パターンテーブル、同図（ｃ）は、ＲＢ遊技状態で用いられるＲＢ遊技状態用演出決定テーブルを示している。各テーブルは、後述する演出抽籤処理において演出の種別を決定する際に参照される。
【００８７】
各テーブルは、演出識別子欄および内部当籤役欄から構成されており、演出識別子欄に表わされた演出態様の種別を示す各演出識別子と、これら各演出識別子が選択される確率とが、内部当籤役欄に示された当籤役の種別毎に対応付けられている。内部当籤役欄に示された当籤役のうち、同図（ａ），（ｂ）における当籤役「スイカ」は、乱数発生器６９で発生してサンプリング回路７０で抽出された一の乱数が「ＢＢ１」または「ＢＢ２」との重複数値範囲（７０００〜７３９９）に含まれない数値範囲（６９３４〜６９９９，７４００〜７５８８）に属し、単独で当籤したものを示している。また、同図（ａ）における当籤役「ＢＢ１」，「ＢＢ２」、および同図（ｂ）における当籤役「スイカ＋ＢＢ１」，「スイカ＋ＢＢ２」は、それぞれ乱数発生器６９で発生してサンプリング回路７０で抽出された一の乱数が「スイカ」の小役との重複数値範囲（７０００〜７３９９）に属し、それぞれ「スイカ」の小役と同時に重複して当籤したものを示している。「演出Ａ」〜「演出Ｅ」，「演出Ｉ」〜「演出Ｋ」のいずれかの演出識別子が選択されると、選択された演出識別子に応じ、液晶パネル３９ｄにおける画像表示や、ＬＥＤ類９９およびランプ類９８の点灯、およびスピーカ１０１，１０１からの出音などにより、異なる態様で演出が行われる。また、「演出Ｆ」〜「演出Ｈ」のいずれかの演出識別子が選択されると、選択された演出識別子に応じて、第２停止ボタン３１Ｂ〜３３Ｂの内部に設けられた第２のＬＥＤ１２２の発光態様が変化する。また、「演出なし」の演出識別子が選択されたときには、演出は行なわれない。
【００８８】
本実施形態では、「演出Ｆ」の演出識別子が選択されると、第２停止ボタン３１Ｂ〜３３Ｂの内部に設けられた第２のＬＥＤ１２２は、点滅することなく、「スイカ」の小役に応じた緑色の発光色で発光制御される。また、「演出Ｇ」の演出識別子が選択されると、第２のＬＥＤ１２２は、ゆっくりと（例えば１秒間隔で）点滅しながら、「スイカ」の小役に応じた緑色の発光色で発光制御される。また、「演出Ｈ」の演出識別子が選択されると、第２のＬＥＤ１２２は、速く（例えば０．５秒間隔で）点滅しながら、「スイカ」の小役に応じた緑色の発光色で発光制御される。
【００８９】
同図（ａ）に示すように、一般遊技状態用演出決定テーブルでは、当籤役が「ハズレ」である場合、「演出なし」の演出識別子が選択される確率は１１２／１２８、「演出Ａ」，「演出Ｂ」，「演出Ｃ」，「演出Ｄ」の各演出識別子が選択される確率はそれぞれ４／１２８である。当籤役が「ハズレ」のときには、「演出Ｅ」〜「演出Ｈ」の演出識別子が選択されることはない。また、当籤役が「赤チェリー」の小役である場合、「演出Ｂ」の演出識別子が選択される確率は４０／１２８、「演出Ｃ」の演出識別子が選択される確率は５６／１２８、「演出Ｄ」，「演出Ｅ」の演出識別子が選択される確率はそれぞれ１６／１２８である。また、当籤役が「青チェリー」の小役である場合、「演出Ｂ」の演出識別子が選択される確率は５６／１２８、「演出Ｃ」の演出識別子が選択される確率は４０／１２８、「演出Ｄ」，「演出Ｅ」の演出識別子が選択される確率はそれぞれ１６／１２８である。当籤役が「赤チェリー」または「青チェリー」の小役のときには、「演出なし」および「演出Ａ」の演出識別子が選択されることはない。また、当籤役が「ベル」の小役である場合、「演出なし」，「演出Ｂ」の演出識別子が選択される確率はそれぞれ３２／１２８、「演出Ａ」の演出識別子が選択される確率は６４／１２８である。当籤役が「ベル」の小役のときには、「演出Ｃ」〜「演出Ｅ」の演出識別子が選択されることはない。
【００９０】
また、当籤役が単独の「スイカ」の小役である場合、「演出Ｂ」，「演出Ｃ」の演出識別子が選択される確率はそれぞれ４８／１２８、「演出Ｄ」，「演出Ｅ」の演出識別子が選択される確率はそれぞれ１６／１２８である。当籤役が単独の「スイカ」の小役のときには、「演出なし」および「演出Ａ」の演出識別子が選択されることはない。また、当籤役が「リプレイ」である場合、「演出なし」の演出識別子が選択される確率は９６／１２８、「演出Ａ」の演出識別子が選択される確率は３２／１２８である。当籤役が「リプレイ」のときには、「演出Ｂ」〜「演出Ｅ」の演出識別子が選択されることはない。また、当籤役が「スイカ」の小役と重複した「ＢＢ１」である場合、「演出Ｂ」，「演出Ｃ」の演出識別子が選択される確率はそれぞれ１６／１２８、「演出Ｄ」の演出識別子が選択される確率は４０／１２８、「演出Ｅ」の演出識別子が選択される確率は５６／１２８である。また、当籤役が「スイカ」の小役と重複した「ＢＢ２」である場合、「演出Ｂ」，「演出Ｃ」の演出識別子が選択される確率はそれぞれ１６／１２８、「演出Ｄ」の演出識別子が選択される確率は５６／１２８、「演出Ｅ」の演出識別子が選択される確率は４０／１２８である。当籤役が「スイカ」の小役と重複した「ＢＢ１」または「ＢＢ２」のときには、「演出なし」および「演出Ａ」の演出識別子が選択されることはない。
【００９１】
また、同図（ｂ）に示すように、第２停止操作部用発光パターンテーブルでは、当籤役が単独の「スイカ」の小役である場合、「演出Ｆ」の演出識別子が選択される確率は８０／１２８、「演出Ｇ」，「演出Ｈ」の演出識別子が選択される確率はそれぞれ２４／１２８である。また、当籤役が「スイカ」の小役と重複した「ＢＢ１」である場合、「演出Ｆ」の演出識別子が選択される確率は６／１２８、「演出Ｇ」の演出識別子が選択される確率は６２／１２８、「演出Ｈ」の演出識別子が選択される確率は６０／１２８である。また、当籤役が「スイカ」の小役と重複した「ＢＢ２」である場合、「演出Ｆ」の演出識別子が選択される確率は６／１２８、「演出Ｇ」の演出識別子が選択される確率は６０／１２８、「演出Ｈ」の演出識別子が選択される確率は６２／１２８である。
【００９２】
上記のように、第２停止操作部用発光パターンテーブルが用いられる一般遊技状態では、単独で「スイカ」の小役に当籤したときには「演出Ｆ」が選択される確率が高い。また、「スイカ」の小役と「ＢＢ１」とが同時に当籤したときには「演出Ｇ」が選択される確率が高く、「スイカ」の小役と「ＢＢ２」とが同時に当籤したときには「演出Ｈ」が選択される確率が高い。
【００９３】
また、同図（ｃ）に示すように、ＲＢ遊技状態用演出決定テーブルでは、当籤役が「赤チェリー」または「青チェリー」の小役である場合、「演出Ｊ」，「演出Ｋ」の演出識別子が選択される確率はそれぞれ６４／１２８である。また、当籤役が「ベル」の小役である場合も、「演出Ｊ」，「演出Ｋ」の演出識別子が選択される確率はそれぞれ６４／１２８である。当籤役がこれら「赤チェリー」，「青チェリー」または「ベル」の小役である場合、「演出Ｉ」の演出識別子が選択されることはない。また、当籤役が「スイカ」の小役である場合には、「演出Ｉ」の演出識別子が選択される確率は１２８／１２８であり、１００％の確率で選択され、「演出Ｉ」以外の他の演出識別子が選択されることはない。
【００９４】
上記のように、ＲＢ遊技状態用演出決定テーブルが用いられるＢＢゲームでは、「スイカ」の小役が当籤役として決定されると、１００％の確率で、「演出Ｉ」の演出が行われることになる。
【００９５】
次に、図１５に示すメインフローチャートを参照して、メイン制御基板６１のメインＣＰＵ６４の制御動作について説明する。
【００９６】
初めに、メインＣＰＵ６４は、ゲーム開始時の初期化処理を行う（図１５，Ｓ１参照）。具体的には、制御ＲＡＭ６６の記憶内容の初期化、通信データの初期化等を行う。この初期化処理の際に上述した設定ボタンおよびリセットボタンが操作されると、出玉率の設定値（“１”，“４”，“６”，“Ｈｉｇｈ”）の変更処理が行なわれる。続いて、メインＣＰＵ６４は、ゲーム終了時の指定格納領域のクリア処理を行う（Ｓ２）。この処理では、前回のゲームに使用された制御ＲＡＭ６６における指定格納領域がクリアされる。
【００９７】
次に、メインＣＰＵ６４は、後述するボーナス作動監視処理を行ない（Ｓ３）、続いて、後述するメダル投入・スタートチェック処理を行う（Ｓ４）。続いて、メインＣＰＵ６４は、乱数発生器６９で発生した抽籤用の乱数値をサンプリング回路７０によって抽出し、抽出した乱数値を制御ＲＡＭ６６の乱数値格納領域に格納する（Ｓ５）。続いて、メインＣＰＵ６４は、遊技状態監視処理を行い（Ｓ６）、後述する内部抽籤処理を行う（Ｓ７）。遊技状態監視処理では、そのときの遊技状態を示す識別子を遊技状態格納領域にセットすると共に、このセットした識別子に基づく遊技状態の変更情報を含む遊技状態変更コマンドを、制御ＲＡＭ６６の通信データ記憶領域にセットする。続いて、メインＣＰＵ６４は、後述する第２停止操作部ロック制御処理を行い（Ｓ８）、その後、スタートコマンドを制御ＲＡＭ６６の通信データ記憶領域にセットする（Ｓ９）。スタートコマンドは、Ｓ６で識別した遊技状態、Ｓ７の内部抽籤処理で抽籤した当籤役等の情報を含むコマンドである。
【００９８】
次に、メインＣＰＵ６４は、前回のリール回転開始から４．１秒が経過したか否かを判別する（Ｓ１０）。この判別が“ＮＯ”のときは、４．１秒が経過するまで待ち時間消化処理（Ｓ１１）が行われる。待ち時間消化処理では、遊技者のゲームを開始する操作に基づく入力を無効にする処理（ここでは、リール２〜４の回転の開始を待機させる処理）が行われる。
【００９９】
前回のリール回転開始から４．１秒が経過すると、メインＣＰＵ６４は、全リール２〜４の回転開始を要求し（Ｓ１２）、全リール２〜４の回転を開始させる。続いて、メインＣＰＵ６４は、リール２〜４の回転を停止制御する後述するリール停止制御処理を行なう（Ｓ１３）。続いて、メインＣＰＵ６４は、シンボル組合せテーブル（図８参照）を参照し、有効化入賞ライン上に沿って表示されるシンボルの組合わせに基づいて、表示役および払出枚数を決定する（Ｓ１４）。このとき、決定された表示役と内部当籤役とが異なる誤りがある場合には、配当枚数表示部２０および第１液晶表示装置３９ｄにイリーガルエラーを表示する。
【０１００】
次に、メインＣＰＵ６４は、表示役コマンドを制御ＲＡＭ６６の通信データ記憶領域にセットする（Ｓ１５）。表示役コマンドは、Ｓ１４で決定した表示役の種類などを含んだコマンドである。続いて、メインＣＰＵ６４は、メダル払出処理を行う（Ｓ１６）。この処理では、クレジットで遊技が行われている状態であれば、入賞によって獲得したメダル枚数分、貯留枚数表示部１６に表示される貯留枚数が増加され、また、投入口８へのメダル投入で遊技が行われている状態であれば、入賞によって獲得した枚数のメダルがメダル受皿３４へ払い出される。
【０１０１】
次に、メインＣＰＵ６４は、払出終了コマンドを制御ＲＡＭ６６の通信データ記憶領域にセットする。払出終了コマンドは、Ｓ１５のメダル払出処理が終了したことを表す情報を含むコマンドである。続いて、メインＣＰＵ６４は、メダルの払出枚数に基づいて、ボーナス終了枚数カウンタを更新する（Ｓ１７）。つまり、ＢＢゲームが行なわれていてボーナス終了枚数カウンタの値が１以上であれば、メダルの払出枚数に応じて当該カウンタを減算する。続いて、メインＣＰＵ６４は、ＢＢ作動中フラグまたはＲＢ作動中フラグが“オン”であるか否かを判別し（Ｓ１８）、この判別が“ＹＥＳ”である場合には、後述するボーナス終了チェック処理を行い（Ｓ１９）、Ｓ１７の判別が“ＮＯ”である場合には、後述するボーナス作動チェック処理を行う（Ｓ２０）。Ｓ１９の処理の後、遊技処理はＳ２に戻って次の新たな単位遊技が開始される。
【０１０２】
次に、図１６を参照して、図１５，Ｓ３で行われるボーナス作動監視処理について説明する。
【０１０３】
このボーナス作動監視処理では、まず、メインＣＰＵ６４は、ＢＢ作動中フラグが“オン”であるか否かを判別する（図１６，Ｓ３１参照）。この判別が“ＹＥＳ”である場合、メインＣＰＵ６４は、ＲＢ作動中フラグが“オン”であるか否かを判別する（Ｓ３２）。Ｓ３１の判別が“ＮＯ”である場合、または、Ｓ３２の判別が“ＹＥＳ”である場合、ボーナス作動監視処理は終了する。一方、ＲＢ作動中フラグが“オフ”であってＳ３２の判別が“ＮＯ”である場合、メインＣＰＵ６４は、ボーナス作動時テーブル（図１２参照）に基づいてＲＢ作動時処理を行なう（Ｓ３３）。このＲＢ作動時処理では、作動中フラグ格納領域（図１３（ｃ）参照）のＲＢ作動中フラグを“オン”にする処理、ならびに、ボーナス作動時テーブル（図１２参照）を参照して遊技可能回数カウンタ格納領域および入賞可能回数カウンタ格納領域に、ＲＢ遊技状態における遊技回数および入賞回数の上限値である“１２”，“８”をそれぞれセットする処理が行なわれる。Ｓ３３の処理が終了すると、ボーナス作動監視処理は終了する。
【０１０４】
次に、図１７を参照して、図１５，Ｓ４で行われるメダル投入・スタートチェック処理について説明する。
【０１０５】
このメダル投入・スタートチェック処理では、まず、メインＣＰＵ６４は、自動投入カウンタの値が“０”であるか否か、つまり、前回の単位遊技において表示役が「リプレイ」でなく、メダルの自動投入が行われないか否かを判別する（図１７，Ｓ４１参照）。自動投入カウンタは、リプレイの表示役が成立したときの単位遊技に賭けられたメダルの枚数を計数するカウンタである。Ｓ４１の判別が“ＹＥＳ”の場合、メダルの自動投入が行なわれないため、メインＣＰＵ６４は、投入口８からのメダルの通過を許可する処理を行なう（Ｓ４２）。一方、Ｓ４１の判別が“ＮＯ”の場合、メインＣＰＵ６４は、自動投入カウンタの値を投入枚数カウンタに複写して（Ｓ４３）、前回の単位遊技と同じ枚数のメダルを今回の単位遊技に賭ける自動投入処理を行う。投入枚数カウンタは、投入口８からのメダル投入または貯留メダル投入ボタン２６〜２８の操作によって、パチスロ機１に投入されたメダルの枚数を計数するカウンタである。続いて、メインＣＰＵ６４は、自動投入カウンタの値をクリアする処理を行なう（Ｓ４４）。
【０１０６】
Ｓ４２またはＳ４４の処理が終了すると、メインＣＰＵ６４は、投入枚数カウンタの最大値を“３”にセットする（Ｓ４５）。続いて、メインＣＰＵ６４は、作動中フラグ格納領域（図１３（ｃ）参照）を参照して、ＢＢ作動中フラグまたはＲＢ作動中フラグが“オン”であるか否かを判別し（Ｓ４６）、この判別が“ＹＥＳ”の場合、Ｓ４５でセットした投入枚数カウンタの最大値を“３”から“２”に変更する（Ｓ４７）。Ｓ４５およびＳ４７の処理により、一般遊技状態では、メダル３枚賭けの遊技が行なわれ、ＲＢ遊技状態では、メダル２枚賭けの遊技が行なわれることになる。
【０１０７】
次に、メインＣＰＵ６４は、投入メダルセンサ８Ｓからの出力信号に基づいて、投入口８からのメダルの通過があったか否かを判別する（図１８，Ｓ４８参照）。この判別が“ＹＥＳ”の場合、メインＣＰＵ６４は、投入枚数カウンタの値が最大値（２枚または３枚）に達しているか否かを判別する（Ｓ４９）。投入枚数カウンタの値が最大値に達していてＳ４９の判別が“ＹＥＳ”の場合、メインＣＰＵ６４は、Ｓ４８で検出されたメダルを機械内部にクレジットし、クレジットカウンタに“１”を加算する（Ｓ５４）。クレジットカウンタは、機械内部にクレジットされているメダル枚数を計数するカウンタであり、このクレジットカウンタの値が、上述した貯留枚数表示部１６に表示される。一方、Ｓ４９の判別が“ＮＯ”の場合、メインＣＰＵ６４は、投入枚数カウンタに“１”を加算する（Ｓ５０）。続いて、メインＣＰＵ６４は、有効ラインカウンタに“５”を格納し（Ｓ５１）、５本の入賞ラインＬ１，Ｌ２Ａ，Ｌ２Ｂ，Ｌ３Ａ，Ｌ３Ｂを全て有効化させる。有効ラインカウンタは、有効化入賞ラインの本数を計数するカウンタである。本実施形態では、メダルが投入されたときの有効ラインカウンタの値は、投入枚数にかかわらず、“５”となる。続いて、メインＣＰＵ６４は、メダル投入コマンドを制御ＲＡＭ６６の通信データ記憶領域にセットする（Ｓ５２）。メダル投入コマンドは、投入枚数カウンタの値や有効化した入賞ラインの数などの情報を含むコマンドである。
【０１０８】
Ｓ４８の判別が“ＮＯ”の場合、メインＣＰＵ６４は、ベットスイッチによりベット操作が検出されたか否かを判別する（Ｓ５３）。この処理では、貯留メダル投入ボタン２６〜２８の操作を貯留メダル投入スイッチ２６Ｓ〜２８Ｓが検知したか否かをチェックする。貯留メダル投入ボタン２６〜２８の操作を貯留メダル投入スイッチ２６Ｓ〜２８Ｓが検知して、Ｓ５３の判別が“ＹＥＳ”の場合、上述したＳ５１およびＳ５２の処理が行なわれる。Ｓ５１およびＳ５２の処理が終了すると、続いて、メインＣＰＵ６４は、投入口８へのメダル投入または貯留メダル投入ボタン２６〜２８の操作によって、投入枚数カウンタの値が最大値（２枚または３枚）になったか否かを判別する（Ｓ５５）。この判別が“ＹＥＳ”である場合、またはＳ５４の処理が終了すると、メインＣＰＵ６４は、スタートレバー３０に対する操作が行なわれてスタートスイッチ３０Ｓが“オン”になったか否かを判別する（Ｓ５６）。
【０１０９】
Ｓ５３、Ｓ５５またはＳ５６の判別が“ＮＯ”である場合、処理はＳ４８に戻り、上述の処理が繰り返される。一方、Ｓ５６の判別が“ＹＥＳ”の場合、メインＣＰＵ６４は、図１７，Ｓ４２で許可した投入口８からのメダルの通過を禁止する処理を行なう（Ｓ５７）。続いて、メインＣＰＵ６４は、第２停止操作部ロック解除フラグが“オン”であるか否かを判別する（Ｓ５８）。第２停止操作部ロック解除フラグは、第２停止ボタン３１Ｂ〜３３Ｂに対する操作入力が操作入力無効化手段により受け付けられないロック状態が解除されたか否かを識別するためのフラグである。第２停止操作部ロック解除フラグが“オン”であって、Ｓ５８の判別が“ＹＥＳ”である場合、メインＣＰＵ６４は、第２停止操作部のロック状態を解除すると共に、第２停止操作部ロック解除フラグを“オフ”にする（Ｓ５９）。第２停止操作部ロック解除フラグが“オフ”であってＳ５８の判別が“ＮＯ”である場合、または、Ｓ５９の処理が終了すると、メダル投入・スタートチェック処理は終了する。
【０１１０】
次に、図１９を参照して、図１５，Ｓ７で行われる内部抽籤処理について説明する。
【０１１１】
この内部抽籤処理において、まず、メインＣＰＵ６４は、内部抽籤テーブル決定テーブル（図９参照）を参照して、内部抽籤テーブルの種別と抽籤回数を決定する（図１９，Ｓ７１参照）。続いて、持越役格納領域（図１３（ｂ）参照）のデータが“０”であるか否か、つまり、持越役がないか否かを判別する（Ｓ７２）。持越役があってＳ７２の判別が“ＮＯ”の場合、メインＣＰＵ６４は、抽籤回数を“５”に変更し、内部当籤状態のときには、当籤番号６のＢＢ１または当籤番号７のＢＢ２が重複して決定されないようになる（Ｓ７３）。
【０１１２】
Ｓ７２の判別が“ＹＥＳ”の場合、またはＳ７３の処理の後、メインＣＰＵ６４は、Ｓ７１またはＳ７３でセットした抽籤回数と同じ値を当籤番号としてセットする（Ｓ７４）。従って、一般遊技状態時には“７”、ＲＢ遊技状態時には“４”、内部当籤（持越）状態時には“５”が、それぞれ当籤番号としてセットされることになる。
【０１１３】
次に、メインＣＰＵ６４は、Ｓ７１で決定した内部抽籤テーブル（図１０（ａ），（ｂ）参照）を参照して、図１５，Ｓ５の処理で乱数値格納領域にセットされている乱数値Ｒと、下限値Ｌおよび上限値Ｕとを比較する（Ｓ７５）。この下限値Ｌおよび上限値Ｕは、設定値記憶領域にセットされている出玉率の設定値に応じた内部抽籤テーブルが参照されて、Ｓ７４でセットした当籤番号に対応したものが用いられる。次に、メインＣＰＵ６４は、乱数値Ｒが下限値Ｌ以上（Ｌ≦Ｒ）且つ上限値Ｕ以下（Ｒ≦Ｕ）であるか否かを判別する（Ｓ７６）。この判別が“ＹＥＳ”の場合、メインＣＰＵ６４は、内部当籤役決定テーブル（図１１参照）を参照し、そのときの当籤番号に基づいて内部当籤役を決定する（Ｓ７７）。続いて、メインＣＰＵ６４は、Ｓ７７で決定した内部当籤役と持越役格納領域（図１３（ｂ）参照）との論理和を内部当籤役格納領域（図１３（ａ）参照）に格納する（Ｓ７８）。Ｓ７６の判別が“ＮＯ”の場合、または、Ｓ７８の処理が終了すると、次に、メインＣＰＵ６４は、抽籤回数を“１”減算し（Ｓ７９）、続いて、抽籤回数が“０”になったか否かを判別する（Ｓ８０）。
【０１１４】
Ｓ８０の判別が“ＮＯ”のとき、処理はＳ７４に戻り、上述の処理が繰り返される。本実施形態では、ＲＴ作動中状態を含む一般遊技状態であって、乱数値Ｒが７０００〜７１９９の数値範囲の範囲にあるときには、上記のＳ７４〜Ｓ８０の処理で、当籤番号４の「スイカ」の小役および当籤番号６の「ＢＢ１」が同時に当籤役として決定され、乱数値Ｒが７２００〜７３９９の数値範囲の範囲にあるときには、上記のＳ７４〜Ｓ８０の処理で、当籤番号４の「スイカ」の小役および当籤番号７の「ＢＢ２」が同時に当籤役として決定されることになる（図１０（ａ）参照）。一方、Ｓ８０の判別が“ＹＥＳ”のとき、メインＣＰＵ６４は、内部当籤役格納領域（図１３（ａ））と持越役格納領域（図１３（ｂ））との論理和を持越役格納領域に格納し（Ｓ８１）、持越役格納領域に内部当籤役の種類に応じた持越役のビットを立てる。続いて、メインＣＰＵ６４は、内部当籤役格納領域と持越役格納領域との論理和を内部当籤役格納領域に格納し（Ｓ８２）、内部抽籤処理を終了する。
【０１１５】
次に、図２０を参照して、図１５，Ｓ８で行われる第２停止操作部ロック制御処理について説明する。
【０１１６】
第２停止操作部ロック制御処理では、まず、メインＣＰＵ６４は、内部抽籤処理（図１９参照）で決定された当籤役が「スイカ」の小役であるか否かを判別する（図２０，Ｓ９１参照）。単独で「スイカ」の小役が当籤役として決定され、または「スイカ」の小役と「ＢＢ１」もしくは「ＢＢ２」とが重複して当籤役として決定されて、Ｓ９１の判別が“ＹＥＳ”である場合、メインＣＰＵ６４は、第２停止操作部ロック解除フラグを“オン”にする（Ｓ９２）。一方、当籤役が「スイカ」の小役でなくて、Ｓ９１の判別が“ＮＯ”である場合、メインＣＰＵ６４は、第２停止操作部である第２停止ボタン３１Ｂ〜３３Ｂをロック制御する（Ｓ９３）。このロック制御処理により、第２停止ボタン３１Ｂ〜３３Ｂに対する操作入力が受け付けられなくなるロック状態になり、第２停止ボタン３１Ｂ〜３３Ｂに対する操作入力に応じた処理が実行されなくなる。Ｓ９２またはＳ９３の処理が終了すると、第２停止操作部ロック制御処理は終了する。
【０１１７】
次に、図２１を参照して、図１５，Ｓ１３で行われるリール停止制御処理について説明する。
【０１１８】
リール停止制御処理では、まず、メインＣＰＵ６４は、リール２〜４の回転が定速になって操作が有効ないずれかの停止ボタン（ストップボタン）３１〜３３が押圧操作されたか否かを判別する（図２１，Ｓ１１１参照）。この判別が“ＮＯ”である場合、Ｓ１１１の判別が繰り返して行なわれる。いずれかの停止ボタン３１〜３３が押圧操作されて、Ｓ１１１の判別が“ＹＥＳ”になると、メインＣＰＵ６４は、押圧操作された停止ボタンの押圧操作を無効化する（Ｓ１１２）。続いて、メインＣＰＵ６４は、チェック回数として“５”を制御ＲＡＭ６６の所定領域にセットする（Ｓ１１３）。続いて、メインＣＰＵ６４は、各リール２〜４において、図柄カウンタによって有効化入賞ライン上に位置していると識別されているシンボルの位置からＳ１１３でセットしたチェック回数分の範囲内、すなわち、有効化入賞ライン上に位置するシンボルを含めてこのシンボルから５コマ分の範囲内において、停止させる優先順位の最も高いシンボル位置を検索する（Ｓ１１４）。図柄カウンタは、左，中，右の各リール２〜４のシンボルに割り当てられた“０”〜“２０”のコードナンバーを計数するカウンタであり、リール２〜４が１回転する毎にリセットされるものである。
【０１１９】
次に、メインＣＰＵ６４は、Ｓ１１４の検索の結果に基づいて、押圧操作された停止ボタンに対応するリールの滑りコマ数を決定する（Ｓ１１５）。続いて、メインＣＰＵ６４は、停止制御位置待ち状態へ処理を移行させる（Ｓ１１６）。この処理では、メインＣＰＵ６４は、Ｓ１１５で決定した滑りコマ数分、リールが回転するのを待つ。具体的には、メインＣＰＵ６４は、押圧操作された停止ボタンに対応するリールについて、停止ボタンが押圧操作されたときに有効化入賞ライン上に位置するシンボルから、Ｓ１１５で決定された滑りコマ数分離れた位置にあるシンボルが有効化入賞ライン上まで移動して停止するのを待つ。続いて、メインＣＰＵ６４は、リール停止コマンドを制御ＲＡＭ６６の通信データ記憶領域にセットする（Ｓ１１７）。リール停止コマンドは、押圧操作によって停止させられたリールの種別の情報を含むコマンドである。
【０１２０】
次に、メインＣＰＵ６４は、押圧操作が有効な停止ボタン３１〜３３があるか否かを判別し（Ｓ１１８）、この判別が“ＹＥＳ”のときには、上述したＳ１１１〜Ｓ１１７の処理を繰り返す。一方、Ｓ１１８の判別が“ＮＯ”である場合、リール停止制御処理は終了する。
【０１２１】
次に、図２２を参照して、図１５，Ｓ１９で行われるボーナス終了チェック処理について説明する。
【０１２２】
このボーナス終了チェック処理では、まず、メインＣＰＵ６４は、小役の入賞が成立したか否か、つまり、図１５，Ｓ１４の処理で表示役として小役が決定されたか否かを判別する（図２２，Ｓ１４１参照）。この判別が“ＹＥＳ”である場合、メインＣＰＵ６４は、図１５，Ｓ１７のボーナス終了枚数カウンタの更新処理によって、ボーナス終了枚数カウンタの値が“０”になったか否かを判別する（Ｓ１４２）。この判別が“ＹＥＳ”である場合、メインＣＰＵ６４はＢＢ終了時処理を行う（Ｓ１４３）。このＢＢ終了時処理では、メインＣＰＵ６４は、作動中フラグ格納領域（図１３（ｃ）参照）のＢＢ作動中フラグを“オフ”にすると共に、ＲＢ作動中フラグを“オフ”にする等のＲＢ終了時処理を行なう。続いて、メインＣＰＵ６４は、ボーナス終了コマンドを制御ＲＡＭ６６の通信データ記憶領域にセットする（Ｓ１４４）。ボーナス終了コマンドは、ＢＢゲームの終了情報を含むコマンドである。
【０１２３】
また、ＢＢゲーム中のメダル払出枚数の総数が３００枚に達していなくてボーナス終了枚数カウンタの値が“０”になっておらず、Ｓ１４２の判別が“ＮＯ”である場合、メインＣＰＵ６４は、入賞可能回数カウンタの値を“１”減算する処理を行ない（Ｓ１４５）、続いて、入賞可能回数カウンタの値が“０”になったか否かを判別する（Ｓ１４６）。ＲＢゲームにおける入賞回数が８回に達していなくてＳ１４６の判別が“ＮＯ”である場合、または、今回の単位遊技で小役の入賞が成立していなくてＳ１４１の判別が“ＮＯ”である場合、メインＣＰＵ６４は、遊技可能回数カウンタの値を“１”減算する処理を行なう（Ｓ１４７）。続いて、メインＣＰＵ６４は、遊技可能回数カウンタの値が“０”になったか否かを判別する（Ｓ１４８）。
【０１２４】
ＲＢゲームにおける入賞回数が８回に達していてＳ１４６の判別が“ＹＥＳ”である場合、または、ＲＢゲームにおける遊技回数が１２回に達していてＳ１４８の判別が“ＹＥＳ”である場合、メインＣＰＵ６４は、ＲＢ終了時処理を行なう（Ｓ１４９）。このＲＢ終了時処理では、メインＣＰＵ６４は、遊技可能回数カウンタおよび入賞可能回数カウンタをクリアする処理、ならびに、作動中フラグ格納領域（図１３（ｃ）参照）のＲＢ作動中フラグを“オフ”にする処理などを行なう。Ｓ１４８の判別が“ＮＯ”である場合、またはＳ１４４もしくはＳ１４９の処理が終了すると、ボーナス終了チェック処理は終了する。
【０１２５】
次に、図２３を参照して、図１５，Ｓ２０で行われるボーナス作動チェック処理について説明する。
【０１２６】
このボーナス作動チェック処理では、まず、メインＣＰＵ６４は、図１５，Ｓ１４で決定されている表示役がＢＢ１またはＢＢ２であるか否かを判別する（図２３，Ｓ１６１参照）。この判別が“ＹＥＳ”である場合には、ボーナス作動時テーブル（図１２参照）に基づいてボーナス作動時処理を行なう（Ｓ１６２）。このボーナス作動時処理では、メインＣＰＵ６４は、作動中フラグ格納領域（図１３（ｃ）参照）のＢＢ作動中フラグを“オン”にする処理、ならびに、ボーナス作動時テーブル（図１２参照）を参照してＢＢゲーム中に獲得できるメダル枚数である“３００”をボーナス終了枚数カウンタに初期値として格納する処理などを行なう。続いて、メインＣＰＵ６４は、持越役格納領域（図１３（ｂ）参照）をクリアし（Ｓ１６３）、ボーナス開始コマンドを制御ＲＡＭ６６の通信データ記憶領域にセットする（Ｓ１６４）。ボーナス開始コマンドは、ＢＢゲームの開始情報を含むコマンドである。
【０１２７】
また、表示役がＢＢ１またはＢＢ２のいずれでもなくて、Ｓ１６１の判別が“ＮＯ”である場合、または、Ｓ１６４の処理が終了すると、ボーナス作動チェック処理は終了する。
【０１２８】
次に、図２４を参照して、１．１１７３［msec］毎にメイン制御基板６１で行われる割込処理について説明する。
【０１２９】
この割込処理において、まず、メインＣＰＵ６４は、メインＣＰＵ６４のレジスタに格納されたデータを制御ＲＡＭ６６の所定領域に一旦退避させる（図２４、Ｓ２０１参照）。続いて、メインＣＰＵ６４は、入力ポートチェック処理を行う（Ｓ２０２）。入力ポートチェック処理では、投入メダルセンサ８Ｓやスタートスイッチ３０Ｓ等の上述した入力信号発生手段からＩ／Ｏポート７１に入力された信号の有無をチェックし、入力された信号があるときはそれを取得する。続いて、メインＣＰＵ６４は通信データ送信処理を行う（Ｓ２０３）。通信データ送信処理では、メイン制御基板６１における制御ＲＡＭ６６の通信データ記憶領域にセットされたコマンド（図１５，Ｓ９，Ｓ１５、図１８，Ｓ５２、図２１，Ｓ１１７、図２２，Ｓ１４４、図２３，Ｓ１６４参照）が、サブ制御基板６２ａのシリアルポート８０ａへ送信される。
【０１３０】
次に、メインＣＰＵ６４は、リール２〜４の回転を制御するリール制御処理を行い（Ｓ２０４）、続いて、ランプ・７ＳＥＧ駆動処理を行う（Ｓ２０５）。ランプ・７ＳＥＧ駆動処理では、各種ランプ（ベットランプ１３〜１５、スタートランプ１７、ＷＩＮランプ１９、インサートランプ２１）を、各ランプの点灯または消灯のタイミングに応じて点灯または消灯すると共に、貯留枚数表示部１６やボーナスカウント表示部１８、配当枚数表示部２０などの７ＳＥＧを表示数値に応じて点灯または消灯する処理を画像制御ＣＰＵ８１および音・ランプ制御ＣＰＵ９０に行わせるコマンドを、サブ制御基板６２ａに送信する処理を行う。続いて、メインＣＰＵ６４は、Ｓ２０１で制御ＲＡＭ６６の所定領域に退避させたデータをレジスタに復帰させ（Ｓ２０６）、割込処理を終了する。
【０１３１】
次に、図２５〜図３０を参照して、サブ制御基板６２ａの画像制御ＣＰＵ８１によって制御される遊技処理について説明する。
【０１３２】
図２５は、パチスロ機１の電源が投入されたときにサブ制御基板６２ａの画像制御ＣＰＵ８１によって行われる電源投入時処理の概略を示すフローチャートである。
【０１３３】
まず、パチスロ機１に電源が投入されると、画像制御ＣＰＵ８１は初期化処理を行う（図２５，Ｓ３０１参照）。この処理では、画像制御ＣＰＵ８１は、ワークＲＡＭ８３、制御ＲＡＭ８８およびビデオＲＡＭ８９のエラーチェックを行い、各タスクグループに属する処理に用いられるワークＲＡＭ８３、制御ＲＡＭ８８およびビデオＲＡＭ８９の初期化を行う。続いて、画像制御ＣＰＵ８１は、ランプ制御タスクを起動させる（Ｓ３０２）。このランプ制御タスクの起動処理により、２［msec］ごとに音・ランプ制御ＣＰＵ９０の制御によるランプ類９８およびＬＥＤ類９９の点灯状態を制御する処理が行われる。続いて、画像制御ＣＰＵ８１は、サウンド制御タスクを起動させる（Ｓ３０３）。このサウンド制御タスクの起動処理により、２［msec］ごとに音・ランプ制御ＣＰＵ９０の制御によるスピーカ１０１，１０１からの出音状態を制御する処理が行われる。続いて、画像制御ＣＰＵ８１は、マザータスクを起動させる（Ｓ３０４）。このマザータスクの起動処理により、後述するマザータスク処理（図２６）が行われる。Ｓ３０４の処理が終了すると、電源投入時処理は終了する。
【０１３４】
図２６は、図２５，Ｓ３０４の処理で起動させられることで行われるマザータスク処理の詳細を示す図である。
【０１３５】
マザータスク処理では、まず、画像制御ＣＰＵ８１は、ＶＳＹＮＣ割込同期のタスクグループに属する描画タスクを起動させる（図２６，Ｓ３１１参照）。この描画タスクの起動処理により、描画タスク処理が行われる。描画タスク処理では、液晶パネル３９ｄに表示させる画像データの決定などを行う処理が行われる。続いて、画像制御ＣＰＵ８１は、主基板通信タスクを起動させる（Ｓ３１２）。この主基板通信タスクの起動処理により、コマンド受信割込同期のタスクグループに属する後述する主基板通信タスク処理（図２７）が行われる。続いて、画像制御ＣＰＵ８１は、演出登録タスクを起動させる（Ｓ３１３）。この演出登録タスクの起動処理により、コマンド受信割込同期のタスクグループに属する後述する演出登録タスク処理（図２８）が行われる。続いて、画像制御ＣＰＵ８１は、同一グループに属するＶＳＹＮＣ割込同期のタスクグループの次のタスクを実行する処理を行い（Ｓ３１４）、以後、このＳ３１４の処理を繰り返し行う。
【０１３６】
図２７は、図２６，Ｓ３１２の処理で起動させられる主基板通信タスク処理の詳細を示す図である。
【０１３７】
主基板通信タスク処理では、まず、画像制御ＣＰＵ８１は、メイン制御基板６１から送信されたコマンドが一時的に格納される送信メッセージキューを参照して、メイン制御基板６１からコマンドを受信したか否かのチェックを行う（図２７，Ｓ３３１参照）。Ｓ３３１の処理が終了すると、続いて、画像制御ＣＰＵ８１は、受信したコマンドの種別を抽出し（Ｓ３３２）、前回とは異なるコマンドを受信したか否かを判別する（Ｓ３３３）。この判別が“ＮＯ”である場合、処理はＳ３３１に戻り、上述したＳ３３１およびＳ３３２の処理が繰り返される。一方、前回とは異なるコマンドを受信してＳ３３３の判別が“ＹＥＳ”である場合には、画像制御ＣＰＵ８１は、この新たに受信したコマンドに含まれる情報から、内部当籤役や、遊技状態、出玉率の設定値などの遊技情報を取得し、取得した遊技情報のデータをメッセージキューに格納する（Ｓ３３４）。Ｓ３３４の処理が終了すると、処理はＳ３３１に戻り、上述した処理が繰り返される。
【０１３８】
図２８は、図２６，Ｓ３１３の処理で起動させられる演出登録タスク処理の詳細を示す図である。
【０１３９】
演出登録タスクの処理では、まず、画像制御ＣＰＵ８１は、主基板通信タスク処理でメッセージキューに格納されたコマンドを取り出す（図２８，Ｓ３６１参照）。続いて、画像制御ＣＰＵ８１は、Ｓ３６１で取り出したコマンドにメッセージデータが含まれているか否かを判別する（Ｓ３６２）。この判別が“ＹＥＳ”である場合、画像制御ＣＰＵ８１が、コマンドに含まれるメッセージデータから遊技情報を抽出してワークＲＡＭ８３に複写し（Ｓ３６３）、続いて、後述する演出内容決定処理（図２９）を行う（Ｓ３６４）。
【０１４０】
Ｓ３６１で取り出したコマンドにメッセージデータが含まれていなくて、Ｓ３６２の判別が“ＮＯ”である場合、または、Ｓ３６４の処理が終了すると、画像制御ＣＰＵ８１は、Ｓ３６４の演出内容決定処理で決定された演出データに基づいて、液晶パネル３９ｄの表示内容を制御するためのアニメーションデータを決定し、決定したアニメーションデータをワークＲＡＭ８３の所定領域に登録する（Ｓ３６５）。続いて、画像制御ＣＰＵ８１は、スタートレバー３０や停止ボタン３１〜３３の操作に応じてスピーカ１０１，１０１から効果音を出力させるための効果音データを含む信号を、サブ制御基板６２ｂの音・ランプ制御ＣＰＵ９０に送信するサウンド演出リクエスト処理を行う（Ｓ３６６）。続いて、画像制御ＣＰＵ８１は、ランプ類９８およびＬＥＤ類９９の点灯状態を制御するためのＬＥＤデータを決定し、決定したＬＥＤデータをワークＲＡＭ８３の所定領域に登録すると共に（Ｓ３６７）、サブ制御基板６２ｂの音・ランプ制御ＣＰＵ９０に送信する。Ｓ３６７の処理が終了すると、処理はＳ３６１に戻り、上述した処理が繰り返される。
【０１４１】
図２９は、図２８のＳ３６４に示す演出内容決定処理の詳細を示すフローチャートである。
【０１４２】
演出内容決定処理では、まず、画像制御ＣＰＵ８１は、スタートレバー３０の操作時にメイン制御基板６１から送信されるスタートコマンド（図１５，Ｓ９参照）を受信しているか否かを判別する（図２９，Ｓ３８１参照）。この判別が“ＹＥＳ”である場合、画像制御ＣＰＵ８１は、後述する演出抽籤処理を行う（Ｓ３８２）。また、Ｓ３８１の判別が“ＮＯ”である場合、画像制御ＣＰＵ８１は、表示役が成立したときにメイン制御基板６１から送信される表示役コマンド（図１５，Ｓ１５参照）を受信しているか否かを判別する（Ｓ３８３）。この判別が“ＹＥＳ”である場合、画像制御ＣＰＵ８１は、表示役コマンドに含まれる表示役の種別等のデータに応じて演出データをワークＲＡＭ８３の所定領域にセットする処理を行う（Ｓ３８４）。
【０１４３】
また、Ｓ３８３の判別が“ＮＯ”である場合、画像制御ＣＰＵ８１は、ＢＢゲームの作動時にメイン制御基板６１から送信されるボーナス開始コマンド（図２３，Ｓ１６４参照）を受信しているか否かを判別する（Ｓ３８５）。この判別が“ＹＥＳ”である場合、画像制御ＣＰＵ８１は、ワークＲＡＭ８３の所定領域にＲＢ遊技状態（サブ）の識別子をセットする（Ｓ３８６）。ＲＢ遊技状態（サブ）の識別子は、サブ制御基板６２ａ，６２ｂにおいてＲＢ遊技状態の識別に用いられる識別子である。また、Ｓ３８５の判別が“ＮＯ”である場合、画像制御ＣＰＵ８１は、ＢＢゲームの終了時にメイン制御基板６１から送信されるボーナス終了コマンド（図２２，Ｓ１４４参照）を受信しているか否かを判別する（Ｓ３８７）。この判別が“ＹＥＳ”である場合、画像制御ＣＰＵ８１は、ワークＲＡＭ８３の所定領域に一般遊技状態（サブ）の識別子をセットする（Ｓ３８８）。一般遊技状態フラグ（サブ）の識別子は、サブ制御基板６２ａ，６２ｂにおいて一般遊技状態の識別に用いられる識別子である。
【０１４４】
Ｓ３８７の判別が“ＮＯ”である場合、または、Ｓ３８２，Ｓ３８４，Ｓ３８６もしくはＳ３８８の処理が終了すると、演出内容決定処理は終了する。
【０１４５】
上記の演出内容決定処理でワークＲＡＭ８３にセットされた演出データが、上述した演出登録タスク処理（図２８，Ｓ３６５〜Ｓ３６７参照）においてワークＲＡＭ８３の所定領域にセットされることにより、セットされた演出データに応じた演出が実行される。
【０１４６】
図３０は、図２９のＳ３８２に示す演出抽籤処理の詳細を示すフローチャートである。
【０１４７】
演出抽籤処理では、まず、画像制御ＣＰＵ８１は、ワークＲＡＭ８３にＲＢ遊技状態（サブ）の識別子がセットされているか否かを判別する（図３０，Ｓ４０１参照）。この判別が“ＹＥＳ”である場合、画像制御ＣＰＵ８１は、ＲＢ遊技状態用演出決定テーブル（図１４（ｃ）参照）を参照し、当籤役の種別に基づいて「演出Ｉ」〜「演出Ｋ」のいずれかの演出識別子を決定する（Ｓ４０２）。また、ワークＲＡＭ８３にＲＢ遊技状態（サブ）の識別子がセットされていなくてＳ４０１の判別が“ＮＯ”である場合、つまり、一般遊技状態である場合、画像制御ＣＰＵ８１は、一般遊技状態用演出決定テーブル（図１４（ａ）参照）を参照し、当籤役の種別に基づいて「演出なし」または「演出Ａ」〜「演出Ｅ」のいずれかの演出識別子を決定する（Ｓ４０３）。続いて、画像制御ＣＰＵ８１は、ワークＲＡＭ８３の内部当籤役格納領域（サブ）を参照し、今回の単位遊技における当籤役が「スイカ」の小役であるか否かを判別する（Ｓ４０４）。この判別が“ＹＥＳ”である場合、画像制御ＣＰＵ８１は、第２停止操作部用発光パターンテーブル（図１４（ｂ）参照）を参照し、当籤役の種別に基づいて「演出Ｆ」〜「演出Ｈ」のいずれかの演出識別子を決定する（Ｓ４０５）。
【０１４８】
Ｓ４０４の判別が“ＮＯ”である場合、または、Ｓ４０２もしくはＳ４０５の処理が終了すると、画像制御ＣＰＵ８１は、決定した演出識別子（Ｓ４０２，Ｓ４０３，Ｓ４０５参照）に基づいて、ワークＲＡＭ８３の所定領域に演出データをセットし（Ｓ４０６）、演出抽籤処理を終了する。
【０１４９】
「スイカ」の小役が当籤役として決定され、上記のＳ４０５の処理によって「演出Ｆ」〜「演出Ｈ」のいずれかの演出識別子が決定されると、白色に発光制御されていた第２のＬＥＤ１２２は、決定された演出識別子に応じた所定の点滅パターン（点滅無し，ゆっくり点滅，速く点滅）にしたがい、「スイカ」の小役に応じた緑色で発光制御される。
【０１５０】
このような本実施形態によるパチスロ機１によれば、上述したように、一般遊技状態時、第１のＬＥＤ１２１および第２のＬＥＤ１２２は、発光制御手段によって一般遊技状態用演出決定テーブル（図１４（ａ）参照）が参照されて、白色に発光制御される（図３０，Ｓ４０３参照）。このため、遊技店内の照明を例えば暗くするなどして視界が悪くなるような場合であっても、第１停止ボタン３１Ａ〜３３Ａおよび第２停止ボタン３１Ｂ〜３３Ｂから構成される停止ボタン３１〜３３の位置は、第１のＬＥＤ１２１および第２のＬＥＤ１２２の発光によって、遊技者に対して明確に示唆されるようになる。したがって、従来の遊技機のように、停止ボタン３１〜３３の位置の判別が難しくなってしまうことがなくなるため、照明効果を変化させて雰囲気を変えるといった遊技店の様々な営業形態の変更が可能になり、遊技店の営業形態に束縛されることのない汎用性の高いパチスロ機１が提供される。
【０１５１】
また、「スイカ」の小役が当籤役決定手段によって当籤役として決定されると、操作入力無効化手段によって受け付けられなくなっていた第２停止ボタン３１Ｂ〜３３Ｂに対する操作入力が受け付けられるようになり（図２０，Ｓ９１，Ｓ９２参照）、停止ボタン３１〜３３の操作範囲が、第１停止ボタン３１Ａ〜３３Ａの操作範囲に加えて第２停止ボタン３１Ｂ〜３３Ｂの操作範囲にまで拡大される。また、第２停止ボタン３１Ｂ〜３３Ｂに対する操作入力が操作入力無効化手段によって受け付けられるようになると（図２０，Ｓ９１，Ｓ９２参照）、発光制御手段によって第２停止操作部用発光パターンテーブル（図１４（ｂ）参照）が参照されて、第２停止ボタン３１Ｂ〜３３Ｂに対する操作入力が受け付けられない場合（図２０，Ｓ９３参照）とは異なる緑色の発光態様に、第２のＬＥＤ１２２が発光制御される（図３０，Ｓ４０５参照）。このため、発光制御手段によって第２のＬＥＤ１２２が今までの態様と異なる発光態様に発光制御されることで、第１停止ボタン３１Ａ〜３３Ａの周囲における第２停止ボタン３１Ｂ〜３３Ｂの照明に変化が与えられ、第１停止ボタン３１Ａ〜３３Ａを囲う大きな面積で照明が変化する。この結果、第２停止ボタン３１Ｂ〜３３Ｂに対する操作入力が操作入力無効化手段によって受け付けられるようになると、停止ボタン３１〜３３の操作範囲が拡大されると共に、第１停止ボタン３１Ａ〜３３Ａを囲う大きな面積で照明が変化することにより、遊技者は、停止ボタン３１〜３３の操作範囲が大きくなったというインパクトを受けると共に、当籤役として「スイカ」の小役と共に「ＢＢ１」または「ＢＢ２」が決定された可能性があることを即座に察知して期待感を持つことができ、熟練者でない遊技者であっても十分に遊技を楽しむことができるようになる。
【０１５２】
また、本実施形態では、「スイカ」の小役が当籤役決定手段によって当籤役として決定されていると、第２のＬＥＤ１２２が発光制御手段によって「スイカ」の小役に応じた緑色の発光色による発光態様に発光制御されることにより、第２のＬＥＤ１２２の発光態様が、第２停止ボタン３１Ｂ〜３３Ｂに対する操作入力が受け付けられない白色の発光態様に発光制御される場合（図２０，Ｓ９３参照）と異なったものとなる。このため、遊技者は、第２のＬＥＤ１２２の発光色が「スイカ」の小役に応じた緑色になったことに基づいて、「スイカ」の小役が当籤役決定手段によって当籤役として決定されていることを容易に認識できるようになる。
【０１５３】
なお、上記実施形態では、「スイカ」の小役が当籤役として決定されたときには、「ＢＢ１」や「ＢＢ２」が同時に当籤役として決定されているか否かにかかわらず、第２停止ボタン３１Ｂ〜３３Ｂに対する操作入力が操作入力無効化手段によって受け付けられるようになる場合を説明したが（図２０，Ｓ９１，Ｓ９２参照）、本発明はこれに限られるものではない。例えば、操作入力無効化手段が、一の乱数が重複数値範囲（７０００〜７３９９）に含まれる数値範囲に属して、「ＢＢ１」または「ＢＢ２」と「スイカ」の小役とが当籤役決定手段により同時に当籤役として決定された場合、「ＢＢ１」または「ＢＢ２」に応じたシンボルの組合わせが停止制御手段によって図柄表示手段に停止表示されるまでの間、第２停止ボタン３１Ｂ〜３３Ｂに対する操作入力を受け付けさせる構成としてもよい。
【０１５４】
上記の構成によれば、「ＢＢ１」または「ＢＢ２」と「スイカ」の小役とが当籤役決定手段によって同時に当籤役として決定されると、「ＢＢ１」または「ＢＢ２」に応じたシンボルの組合わせが停止制御手段によって図柄表示手段に停止表示されるまでの間、第２停止ボタン３１Ｂ〜３３Ｂに対する操作入力が操作入力無効化手段によって受け付けられるようになる。第２停止ボタン３１Ｂ〜３３Ｂに対する操作入力が受け付けられるようになると、発光制御手段により、第２のＬＥＤ１２２の発光態様は、第２停止ボタン３１Ｂ〜３３Ｂに対する操作入力が受け付けられない白色に発光制御されるときとは異なった緑色に発光制御される発光態様のものに変化する。このため、遊技者は、変化した第２のＬＥＤ１２２の発光態様に基づいて、「スイカ」の小役と共に「ＢＢ１」または「ＢＢ２」が当籤役決定手段によって同時に当籤役として決定されていることを容易に認識できるようになる。
【０１５５】
また、上記実施形態では、操作入力無効化手段によって第２停止ボタン３１Ｂ〜３３Ｂに対する操作入力が受け付けられなくなっている場合と受け付けられている場合とで、第２のＬＥＤ１２２を、発光色および点滅パターンを異ならせて発光させる場合を説明したが（図１４（ｂ）、図３０，Ｓ４０５参照）、本発明はこれに限られるものではなく、例えば、発光強度などをも異ならせる構成としてもよい。
【０１５６】
また、上記実施形態では、「スイカ」の小役が当籤役として決定されると、第１のＬＥＤ１２１および第２のＬＥＤ１２２をそれぞれ白色，緑色で発光させて、各ＬＥＤ１２１，１２２を異なる発光態様で発光させる場合を説明したが、本発明はこれに限られるものではない。特定役が当籤役として決定されたときの第１のＬＥＤ１２１および第２のＬＥＤ１２２の発光態様は、異なるものであれば適宜変更可能である。
【０１５７】
また、上記実施形態では、第２停止ボタン３１Ｂ〜３３Ｂが、第１停止ボタン３１Ａ〜３３Ａの周囲に円環状に設けられている場合を説明したが（図１，図４参照）、本発明はこれに限られるものではない。第２停止ボタン３１Ｂ〜３３Ｂは第１停止ボタン３１Ａ〜３３Ａの周囲に設けられていればよく、第２停止ボタン３１Ｂ〜３３Ｂの配置箇所や形状は適宜変更可能である。
【０１５８】
また、上記実施形態では、第１停止ボタン３１Ａ〜３３Ａを照明する第１のＬＥＤ１２１は１個配置され、第２停止ボタン３１Ｂ〜３３Ｂを照明する第２のＬＥＤ１２２は略等間隔に４個配置されている場合を説明したが（図４（ｂ）参照）、本発明はこれに限られるものではない。各停止ボタン３１Ａ〜３３Ａ，３１Ｂ〜３３Ｂ内部の第１のＬＥＤ１２１および第２のＬＥＤ１２２の配置や個数は、適宜変更可能である。
【０１５９】
また、上記実施形態では、全ての停止ボタン３１〜３３が、第１停止操作部および第２停止操作部で構成されている場合を説明したが（図１参照）、本発明はこれに限られるものではない。例えば、停止ボタン３１〜３３のうちの１個または２個の停止ボタンだけが第１停止操作部および第２停止操作部で構成されるようにしてもよい。
【０１６０】
また、上記実施形態では、特定役が「スイカ」の小役で構成される場合を説明したが（図１４（ｂ）参照）、本発明はこれに限られるものではない。特定役は、遊技者に大きな利益を付与する遊技状態に変化する「ＢＢ１」または「ＢＢ２」等のボーナス役と同時に当籤役として決定される役であればよく、適宜変更可能である。
【０１６１】
上記のいずれの構成においても、上述した実施形態と同様の作用効果が奏される。
【産業上の利用可能性】
【０１６２】
上記実施形態においては、本発明による遊技機をパチスロ機に適用した場合について説明したが、図柄表示手段の複数の列にそれぞれ対応して停止操作部が設けられている他の遊技機に本発明を適用することも可能である。このような遊技機に本発明を適用した場合においても上記実施形態と同様な作用効果が奏される。
【図面の簡単な説明】
【０１６３】
【図１】本発明の一の実施形態によるパチスロ機の外観を示す正面図である。
【図２】図１に示すパチスロ機の表示窓に記された入賞ラインを示す図である。
【図３】図１に示すパチスロ機を構成するリールユニットの外観およびこのリールユニットを構成する各リールの構成を示す分解斜視図である。
【図４】図１に示すパチスロ機の停止ボタンの内部構造を示す図であり、（ａ）は断面図、（ｂ）は平面図である。
【図５】図１に示すパチスロ機のメイン制御基板に構成された回路構成を示すブロック図である。
【図６】図１に示すパチスロ機のサブ制御基板に構成された回路構成を示すブロック図である。
【図７】図１に示すパチスロ機に用いられるシンボル配置テーブルを概念的に示す図である。
【図８】図１に示すパチスロ機に用いられるシンボル組合せテーブルを概念的に示す図である。
【図９】図１に示すパチスロ機に用いられる内部抽籤テーブル決定テーブルを概念的に示す図である。
【図１０】図１に示すパチスロ機に用いられる内部抽籤テーブルを概念的に示す図であり、（ａ）は一般遊技状態用内部抽籤テーブル、（ｂ）はＲＢ遊技状態用内部抽籤テーブルである。
【図１１】図１に示すパチスロ機に用いられる内部当籤役決定テーブルを概念的に示す図である。
【図１２】図１に示すパチスロ機に用いられるボーナス作動時テーブルを概念的に示す図である。
【図１３】図１に示すパチスロ機に用いられる内部当籤役格納領域，持越役格納領域および作動中フラグ格納領域を概念的に示す図である。
【図１４】図１に示すパチスロ機に用いられる演出決定用のテーブルを概念的に示す図であり、（ａ）は、一般遊技状態で用いられる一般遊技状態用演出決定テーブル、（ｂ）は、一般遊技状態において当籤役が「スイカ」の小役であるときに用いられる第２停止操作部用発光パターンテーブル、（ｃ）は、ＲＢ遊技状態で用いられるＲＢ遊技状態用演出決定テーブルである。
【図１５】図１に示すパチスロ機のメインＣＰＵによる遊技処理の概略を示すフローチャートである。
【図１６】図１５に示すボーナス作動監視処理の詳細を示すフローチャートである。
【図１７】図１５に示すメダル投入・スタートチェック処理の詳細を示す第１のフローチャートである。
【図１８】図１５に示すメダル投入・スタートチェック処理の詳細を示す第２のフローチャートである。
【図１９】図１５に示す内部抽籤処理の詳細を示すフローチャートである。
【図２０】図１５に示す第２停止操作部ロック制御処理の詳細を示すフローチャートである。
【図２１】図１５に示すリール停止制御処理の詳細を示すフローチャートである。
【図２２】図１５に示すボーナス終了チェック処理の詳細を示すフローチャートである。
【図２３】図１５に示すボーナス作動チェック処理の詳細を示すフローチャートである。
【図２４】図１に示すパチスロ機のメインＣＰＵによる定期割込処理の概略を示すフローチャートである。
【図２５】図１に示すパチスロ機の電源投入時の画像制御ＣＰＵによる電源投入時処理の概略を示すフローチャートである。
【図２６】図１に示すパチスロ機の画像制御ＣＰＵによるマザータスク処理の詳細を示すフローチャートである。
【図２７】図１に示すパチスロ機の画像制御ＣＰＵによる主基板通信タスク処理の詳細を示すフローチャートである。
【図２８】図１に示すパチスロ機の画像制御ＣＰＵによる演出登録タスク処理の詳細を示すフローチャートである。
【図２９】図２８に示す演出内容決定処理の詳細を示すフローチャートである。
【図３０】図２９に示す演出抽籤処理の詳細を示すフローチャートである。
【符号の説明】
【０１６４】
１…パチスロ機
２〜４…リール
５〜７…表示窓
３０…スタートレバー
３０Ｓ…スタートスイッチ
３１，３２，３３…停止ボタン
３１Ａ，３２Ａ，３３Ａ…第１停止ボタン
３１Ｂ，３２Ｂ，３３Ｂ…第２停止ボタン
３１ａ，３１ｂ…脚部
３１ｍ，３１ｎ…導光穴
３７…操作パネル
３７ａ…穴
３９…リール表示窓部
３９ｄ…液晶パネル
６１…メイン制御基板
６２ａ，６２ｂ…サブ制御基板
６３…マイコン
６４…メインＣＰＵ
６５，８２，９１…プログラムＲＯＭ
６６，８８…制御ＲＡＭ
７１…Ｉ／Ｏポート
７９…サブ制御部通信ポート
８０ａ，８０ｂ…シリアルポート
８１…画像制御ＣＰＵ
８３，９２…ワークＲＡＭ
９０…音・ランプ制御ＣＰＵ
９８…ランプ類
９９…ＬＥＤ類
１０１，１０１…スピーカ
１２１…第１のＬＥＤ
１２２…第２のＬＥＤ
１２３〜１２５…ガイド筒
１２７，１２８…フォトセンサ
１２７Ａ，１２８Ａ…発光素子
１２７Ｂ，１２８Ｂ…受光素子
１３１，１３２…円筒コイルばね
Ｌ１，Ｌ２Ａ，Ｌ２Ｂ，Ｌ３Ａ，Ｌ３Ｂ…入賞ライン
【図１】
2009153758.tif 000003
【図２】
2009153758.tif 000004
【図３】
2009153758.tif 000005
【図４】
2009153758.tif 000006
【図５】
2009153758.tif 000007
【図６】
2009153758.tif 000008
【図７】
2009153758.tif 000009
【図８】
2009153758.tif 000010
【図９】
2009153758.tif 000011
【図１０】
2009153758.tif 000012
【図１１】
2009153758.tif 000013
【図１２】
2009153758.tif 000014
【図１３】
2009153758.tif 000015
【図１４】
2009153758.tif 000016
【図１５】
2009153758.tif 000017
【図１６】
2009153758.tif 000018
【図１７】
2009153758.tif 000019
【図１８】
2009153758.tif 000020
【図１９】
2009153758.tif 000021
【図２０】
2009153758.tif 000022
【図２１】
2009153758.tif 000023
【図２２】
2009153758.tif 000024
【図２３】
2009153758.tif 000025
【図２４】
2009153758.tif 000026
【図２５】
2009153758.tif 000027
【図２６】
2009153758.tif 000028
【図２７】
2009153758.tif 000029
【図２８】
2009153758.tif 000030
【図２９】
2009153758.tif 000031
【図３０】
2009153758.tif 000032